(57)【要約】  トラフィック受信又は送信方法、装置及び通信システムが提供される。該トラフィック受信又は送信装置は、低レイテンシトラフィックの受信又は送信を行う時間が測定間隔と重なり合うときに、該測定間隔内で該低レイテンシトラフィックの受信又は送信を行う処理器を含む。これにより、低レイテンシトラフィックの受信又は送信過程において設定される測定間隔が出現するときに、低レイテンシトラフィックのレイテンシを減少させ、低レイテンシトラフィックのユーザ体験を保証することができる。
2021510028.tif 000002
【特許請求の範囲】
【請求項１】
トラフィック受信又は送信装置であって、
低レイテンシトラフィックの受信又は送信を行う時間が測定間隔と重なり合うときに、前記測定間隔内で前記低レイテンシトラフィックの受信又は送信を行う処理ユニットを含む、装置。
【請求項２】
請求項1に記載の装置であって、
前記測定間隔が設定される所定期間内に含まれ、前記処理ユニットは、前記所定期間内で前記低レイテンシトラフィックの受信又は送信を行う、装置。
【請求項３】
請求項2に記載の装置であって、
予め低レイテンシトラフィックを受信又は送信するときに、前記所定期間を設定する設定ユニットをさらに含む、装置。
【請求項４】
請求項2に記載の装置であって、
前記処理ユニットはさらに、前記所定期間内で低レイテンシトラフィックの受信がないとき又は前記所定期間内で前記低レイテンシトラフィックの送信がないときに、前記所定期間の後の測定間隔内で測定を行う、装置。
【請求項５】
請求項2に記載の装置であって、
前記設定ユニットは、タイマーを起動することで前記所定期間を設定する、装置。
【請求項６】
請求項1に記載の装置であって、
前記処理ユニットは、前記測定間隔内で前記低レイテンシトラフィックを送信し、及び／又は、前記低レイテンシトラフィックに関する情報を送信する、装置。
【請求項７】
請求項1に記載の装置であって、
ネットワーク装置送信の第一指示情報を受信する第一受信ユニットをさらに含み、
前記第一指示情報は、前記低レイテンシトラフィックの受信又は送信を行う測定間隔に関する情報を指示する、装置。
【請求項８】
請求項7に記載の装置であって、
前記第一指示情報は、下りリンク制御チャネル又は媒体アクセス制御又は無線リソース制御シグナリングにより搬送される、装置。
【請求項９】
請求項7に記載の装置であって、
前記測定間隔に関する情報は、前記低レイテンシトラフィックの受信又は送信を行う測定間隔の数量情報及び／又は位置情報を含む、装置。
【請求項１０】
請求項1に記載の装置であって、
サービス品質変化に関する所定条件が満足されるかを確定する確定ユニットをさらに含み、
前記確定ユニットの確定結果が「サービス品質変化に関する所定条件が満足される」のときに、前記処理ユニットは、前記測定間隔内で前記低レイテンシトラフィックの受信又は送信を行う、装置。
【請求項１１】
請求項10に記載の装置であって、
前記所定条件は、サービングセルのサービス品質が第一閾値よりも高く；又は、サービングセルのサービス品質が第二閾値よりも高く、隣接するセルのサービス品質が第三閾値よりも低く；又は、隣接するセルのサービス品質が第四閾値よりも低く；又は、サービングセルのサービス品質が隣接するセルのサービス品質よりも高く；又は、サービングセルのサービス品質が隣接するセルのサービス品質の第五閾値よりも高いことを含む、装置。
【請求項１２】
請求項10に記載の装置であって、
ネットワーク装置送信の第二指示情報を受信する第二受信ユニットをさらに含み、
前記第二指示情報は、前記所定条件を指示する、装置。
【請求項１３】
請求項1に記載の装置であって、
低レイテンシトラフィックの受信又は送信を行う時間が測定間隔と重なり合うことは、前記測定間隔内で測定し始めた後に低レイテンシトラフィックの送信があることを含み、
前記処理ユニットはさらに、サービングセルに戻り、前記測定間隔内で継続して低レイテンシトラフィックの送信、及び、ネットワーク装置送信の前記低レイテンシトラフィックに対しての確認メッセージの受信を行うために用いられる、装置。
【請求項１４】
請求項1に記載の装置であって、
前記端末装置がネットワーク装置設定のグラントを有するときに、前記グラントは、前記低レイテンシトラフィックの受信又は送信を行う測定間隔をカバーする、装置。
【請求項１５】
請求項1に記載の装置であって、
ネットワーク装置送信の設定情報を受信する第三受信ユニットをさらに含み、
前記設定情報は、
前記端末装置が低レイテンシトラフィックの受信又は送信を行う時間が測定間隔と重なり合うときに、又は、前記端末装置が低レイテンシトラフィックの受信又は送信を行う時間が測定間隔と重なり合い、かつサービス品質変化に関する所定条件が満足されるときに、前記端末装置が前記測定間隔内で前記低レイテンシトラフィックの受信又は送信を行うことを設定し；又は
前記端末装置が低レイテンシトラフィックについてグラントを有するときに、前記グラントが前記低レイテンシトラフィックの受信又は送信を行う測定間隔をカバーすることを設定する、装置。
【請求項１６】
請求項1に記載の装置であって、
前記処理ユニットは、前記測定間隔内で前記低レイテンシトラフィックの受信又は送信を行うときに、測定を行わない、装置。
【請求項１７】
トラフィック受信又は送信装置であって、
端末装置に設定情報又は第一指示方法を送信する第一送信ユニットを含み、
前記設定情報は、
前記端末装置が低レイテンシトラフィックの受信又は送信を行う時間が測定間隔と重なり合うときに、又は、前記端末装置が低レイテンシトラフィックの受信又は送信を行う時間が測定間隔と重なり合い、かつサービス品質変化に関する所定条件が満足されるときに、前記端末装置が前記測定間隔内又は前記測定間隔の一部の時間内で測定を行わないことを設定し；又は
前記端末装置がグラントを有するときに、前記グラントが前記測定を行わない測定間隔をカバーすることを設定し、
前記第一指示情報は、測定を行わない測定間隔に関する情報を指示する、装置。
【請求項１８】
請求項17に記載の装置であって、
前記端末装置に第二指示情報を送信する第二送信ユニットをさらに含み、
前記第二指示情報は、前記所定条件を指示する、装置。
【請求項１９】
請求項17に記載の装置であって、
前記測定間隔内で前記低レイテンシトラフィックの送信又は受信を行う送受信ユニットをさらに含む、装置。
【請求項２０】
端末装置を含む通信システムであって、
前記端末装置は、請求項1に記載のトラフィック受信又は送信装置を含む、通信システム。
【発明の詳細な説明】
【技術分野】
【０００１】
本発明は、通信分野に関し、特に、トラフィック受信又は送信方法及び装置、通信システムに関する。
【背景技術】
【０００２】
3GPP（3rd  Generation  Partnership  Project）規格では、測定が周波数内測定と周波数間測定に分けられることが言及されており、そのうち、周波数内測定とは、端末装置の現在に所在するセル及び測定待ちのターゲットセルが同一のキャリア周波数（中心周波数）にあることを指す。周波数間測定とは、端末装置の現在に所在するセル及びターゲットセルが同一のキャリア周波数に無いことを指す。
【０００３】
端末装置が周波数間測定又は無線間アクセス技術（inter-radio  access  technology、inter-RAT）測定を行う必要があるときに、ネットワーク側は、予め端末装置のために測定間隔（measurement  gap）を設定しても良く、それは、端末装置が測定を行うために使用し得る時間周期を表し、端末装置は、この期間内で、スケジューリングされる上り下りリンク伝送が無く、ターゲットセルの周波数に調整して周波数間測定又はinter-RAT測定を行い、そして、測定間隔終了時に、再び現在のセルに戻ることができる。
【０００４】
なお、上述の背景技術についての紹介は、本発明の技術案を明確かつ完全に説明し、また、当業者がそれを理解しやすいためのものである。これらの技術案は、本発明の背景技術に記述されているため、当業者にとって周知であると解釈してはならない。
【発明の概要】
【発明が解決しようとする課題】
【０００５】
今のところ、移動通信ネットワークに基づく各種のデータの応用及びサービスが迅速に増加し、移動通信ネットワークによりサービングされる端末も、ヒトを使用主体とする従来のスマートフォンのような端末から、マシンを主体とするより多くの他の類型の端末まで拡張している。このような変化に適応するために、将来の移動通信ネットワークは、異なる端末装置及び異なるサービスのニーズを満足するように、より多様で柔軟なサービスを提供し得る能力が必要となる。
【０００６】
そのため、第5世代（5G）移動通信システムでは、従来のeMBB（enhanced  Mobile  Broadband）トラフィックだけでなく、mMTC（Massive  Machine  Type  Communications）トラフィック及びURLLC（Ultra-Reliable  and  Low  Latency  Communications）トラフィックもサポートされる。そのうち、URLLCトラフィックは、レイテンシに対しての要件が非常に敏感であり、例えば、ユーザプレーンのレイテンシの目標が上り下りリンクについて0.5msであり、1つのデータパケットの1回の伝送に対しての信頼性の要件が32  bytesについて10-5のエラー率に達することであり、また、レイテンシの要件が、ユーザプレーンのレイテンシが1msであるということである。
【０００７】
本発明の発明人は、次のようなことを発見した。即ち、今のところ、低周波帯の測定間隔の長さが通常6ms、4ms又は3msに設定され、測定間隔の周期が20ms、40ms、80ms又は160msである。一方、高周波帯の測定間隔の長さが通常5.5ms、3.5ms又は1.5msに設定され、測定間隔の周期が20ms、40ms、80ms又は160msである。URLLCトラフィックの受信又は送信過程において測定間隔が生じる場合、従来規格における規定によれば、端末装置は、該測定間隔内でURLLCトラフィックの受信又は送信を行うことができない。これは、URLLCトラフィックの受信又は送信のレイテンシの増加を来し、URLLCトラフィックが要求するレイテンシ指標の要件を満足することができない。
【０００８】
上述の問題を解決するために、本発明の実施例は、トラフィック受信又は送信方法、装置及び通信システムを提供し、これにより、低レイテンシトラフィックの受信又は送信過程において設定される測定間隔が出現するときに、低レイテンシトラフィックのレイテンシを減少させ、低レイテンシトラフィックのユーザ体験を保証することができる。
【課題を解決するための手段】
【０００９】
本実施例の第一側面によれば、トラフィック受信又は送信方法が提供され、そのうち、該方法は、
低レイテンシトラフィックの受信又は送信を行う時間が測定間隔と重なり合う（overlap）ときに、端末装置が該測定間隔内で該低レイテンシトラフィックの受信又は送信を行うことを含む。
【００１０】
本実施例の第二側面によれば、トラフィック受信又は送信方法が提供され、そのうち、該方法は、
ネットワーク装置が端末装置に設定情報を送信し、
該設定情報は、該端末装置が低レイテンシトラフィックの受信又は送信を行う時間が測定間隔と重なり合うときに、又は、該端末装置が低レイテンシトラフィックの受信又は送信を行う時間が測定間隔と重なり合い、かつサービス品質変化に関する所定条件が満足されるときに、該端末装置が該測定間隔内で該低レイテンシトラフィックの受信又は送信を行うことを設定し、又は
該設定情報は、該端末装置がグラントを有するときに、該グラントが、低レイテンシトラフィックの受信又は送信を行う測定間隔をカバーすることを設定し；或いは
ネットワーク装置が端末装置に第一指示情報を送信し、該第一指示情報は、低レイテンシトラフィックの受信又は送信を行う測定間隔に関する情報を指示することを含む。
【００１１】
本実施例の第三側面によれば、測定方法が提供され、そのうち、該方法は、
低レイテンシトラフィックの受信又は送信を行う時間が測定間隔と重なり合うときに、端末装置が該測定間隔内又は該測定間隔の一部の時間内で測定を行わないことを含む。
【００１２】
本実施例の第四側面によれば、測定方法が提供され、そのうち、該方法は、
ネットワーク装置が端末装置に設定情報を送信し、
該設定情報は、該端末装置が低レイテンシトラフィックの受信又は送信を行う時間が測定間隔と重なり合うときに、又は、該端末装置が低レイテンシトラフィックの受信又は送信を行う時間が測定間隔と重なり合い、かつサービス品質変化に関する所定条件が満足されるときに、該端末装置が該測定間隔内又は該測定間隔の一部の時間内で測定を行わないことを設定し、又は
該設定情報は、該端末装置がグラントを有するときに、該グラントが、測定を行わない測定間隔をカバーすることを設定し；或いは
ネットワーク装置が端末装置に第一指示情報を送信し、該第一指示情報は、測定を行わない測定間隔に関する情報を指示することを含む。
【００１３】
本実施例の第五側面によれば、トラフィック受信又は送信装置が提供され、そのうち、該装置は、
低レイテンシトラフィックの受信又は送信を行う時間が測定間隔と重なり合うときに、該測定間隔内で該低レイテンシトラフィックの受信又は送信を行う処理ユニットを含む。
【００１４】
本実施例の第六側面によれば、トラフィック受信又は送信装置が提供され、そのうち、該装置は、端末装置に設定情報又は第一指示情報を送信する第一送信ユニットを含み、
該設定情報は、
該端末装置が低レイテンシトラフィックの受信又は送信を行う時間が測定間隔と重なり合うときに、又は、該端末装置が低レイテンシトラフィックの受信又は送信を行う時間が測定間隔と重なり合い、かつサービス品質変化に関する所定条件が満足されるときに、該端末装置が測定間隔内で該低レイテンシトラフィックの受信又は送信を行うことを設定し；又は
該端末装置がグラントを有するときに、該グラントが、該低レイテンシトラフィックの受信又は送信を行う測定間隔をカバーすることを設定し、
該第一指示情報は、低レイテンシトラフィックの受信又は送信を行う測定間隔に関する情報を指示する。
【００１５】
本実施例の第七側面によれば、測定装置が提供され、そのうち、該装置は、
低レイテンシトラフィックの受信又は送信を行う時間が測定間隔と重なり合うときに、該測定間隔内又は該測定間隔の一部の時間内で測定を行わない処理ユニットを含む。
【００１６】
本実施例の第八側面によれば、測定装置が提供され、そのうち、該装置は、
端末装置に設定情報又は第一指示情報を送信する送信ユニットを含み、
該設定情報は、
該端末装置が低レイテンシトラフィックの受信又は送信を行う時間が測定間隔と重なり合うときに、又は、該端末装置が低レイテンシトラフィックの受信又は送信を行う時間が測定間隔と重なり合い、かつサービス品質変化に関する所定条件が満足されるときに、該端末装置が該測定間隔内又は該測定間隔の一部の時間内測定を行わないことを設定し；又は
該端末装置がグラントを有するときに、該グラントが、測定を行わない測定間隔をカバーすることを設定し、
該第一指示情報は、測定を行わない測定間隔に関する情報を指示する。
【００１７】
本発明の実施例の有益な効果は、次の通りであり、即ち、低レイテンシトラフィックの受信又は送信を行う時間が測定間隔と重なり合うときに、該測定間隔内で低レイテンシトラフィックの受信又は送信を行い、これにより、低レイテンシトラフィックの受信又は送信過程において設定される測定間隔が現れるときに、低レイテンシトラフィックのレイテンシを減少させ、低レイテンシトラフィックのユーザ体験を保証することができる。
【００１８】
後述の説明及び図面を参照することで、本発明の特定の実施形態を詳しく開示し、本発明の原理を採用し得る態様を示す。なお、本発明の実施形態は、範囲上ではこれらによって限定されない。添付した特許請求の範囲内であれば、本発明の実施形態は、様々な変更、修正及び代替によるものを含んでも良い。
【００１９】
また、1つの実施方式について説明した及び／又は示した特徴は、同じ又は類似した方式で1つ又は複数の他の実施形態に用い、他の実施形態における特徴と組み合わせ、又は、他の実施形態における特徴を置換することもできる。
【００２０】
なお、「含む／有する」のような用語は、本明細書に使用されるときに、特徴、要素、ステップ、又はアセンブルの存在を指すが、1つ又は複数の他の特徴、要素、ステップ、又はアセンブリの存在又は付加を排除しないということも指す。
【図面の簡単な説明】
【００２１】
本発明の1つの図面又は1つの実施形態に記載の要素及び特徴は、1つ又は複数の他の図面又は実施形態に示した要素及び特徴と組み合わせることができる。また、図面では、類似した符号は、幾つの図面における対応する部品を示し、複数の実施形態に用いる対応部品を示すためにも用いられる。
【００２２】
含まれている図面は、本発明の実施例への更なる理解を提供するために用いられ、これらの図面は、本明細書の一部を構成し、本発明の実施形態を例示し、文字記載とともに本発明の原理を説明するために用いられる。また、明らかのように、以下に記載される図面は、本発明の幾つかの実施例を示すためのものに過ぎず、当業者は、創造性のある労働をせずに、これらの図面に基づいて他の図面を得ることもできる。
【図１】本発明の実施例における通信システムを示す図である。
【図２】本発明の実施例1におけるトラフィック受信又は送信方法のフローチャートである。
【図３Ａ】本発明の実施例1において低レイテンシトラフィックの受信又は送信を行う時間が測定間隔と重なり合うことを示す図である。
【図３Ｂ】本発明の実施例1において低レイテンシトラフィックの受信又は送信を行う時間が測定間隔と重なり合うことを示す図である。
【図３Ｃ】本発明の実施例1において低レイテンシトラフィックの受信又は送信を行う時間が測定間隔と重なり合うことを示す図である。
【図３Ｄ】本発明の実施例1において低レイテンシトラフィックの受信又は送信を行う時間が測定間隔と重なり合うことを示す図である。
【図４】本発明の実施例2におけるトラフィック受信又は送信方法の一実施方式のフローチャートである。
【図５】本発明の実施例2におけるトラフィックの受信又は送信を示す図である。
【図６】本発明の実施例2におけるトラフィック受信又は送信方法の一実施方式のフローチャートである。
【図７】本発明の実施例2におけるトラフィックの受信又は送信を示す図である。
【図８】従来の低レイテンシトラフィックの測定間隔内での到着を示す図である。
【図９】本発明の実施例5におけるトラフィック受信又は送信方法のフローチャートである。
【図１０】本発明の実施例5におけるトラフィック受信又は送信方法のフローチャートである。
【図１１】本発明の実施例5におけるトラフィック受信又は送信方法のフローチャートである。
【図１２】本発明の実施例5におけるトラフィック受信又は送信方法のフローチャートである。
【図１３】本発明の実施例6における測定方法のフローチャートである。
【図１４】本発明の実施例7における測定方法のフローチャートである。
【図１５】本発明の実施例7における測定方法のフローチャートである。
【図１６】本発明の実施例7における測定方法のフローチャートである。
【図１７】本発明の実施例7における測定方法のフローチャートである。
【図１８】本発明の実施例8におけるトラフィック受信又は送信装置を示す図である。
【図１９】本発明の実施例9における端末装置の構成を示す図である。
【図２０】本発明の実施例10におけるトラフィック受信又は送信装置を示す図である。
【図２１】本発明の実施例11におけるネットワーク装置の構成を示す図である。
【図２２】本発明の実施例12における測定装置を示す図である。
【図２３】本発明の実施例13における端末装置の構成を示す図である。
【図２４】本発明の実施例14における測定装置を示す図である。
【図２５】本発明の実施例15におけるネットワーク装置の構成を示す図である。
【図２６】本発明の実施例8におけるトラフィック受信又は送信装置の１つの実施方式の構成を示す図である。
【図２７】本発明の実施例8におけるトラフィック受信又は送信装置のもう１つの実施方式の構成を示す図である。
【図２８】本発明の実施例8におけるトラフィック受信又は送信装置の他の実施方式の構成を示す図である。
【発明を実施するための形態】
【００２３】
添付した図面及び以下の説明を参照することにより、本発明の前述の及び他の特徴が明らかになる。なお、明細書及び図面では、本発明の特定の実施形態を開示するが、それは、本発明の原理を採用し得る一部のみの実施形態を示し、理解すべきは、本発明は、記載されている実施形態に限定されず、即ち、本発明は、添付した特許請求の範囲内のすべての変更、変形及び代替によるものも含むということである。
【００２４】
本発明の実施例では、用語「通信ネットワーク」又は「無線通信ネットワーク」は、次のような任意の通信規格に準ずるネットワークを指しても良く、例えば、LTE（LTE、Long  Term  Evolution）、LTE-A（LTE-Advanced）、WCDMA(登録商標)（Wideband  Code  Division  Multiple  Access）、HSPA（High-Speed  Packet  Access）などである。
【００２５】
また、通信システムにおける装置間の通信は、任意の段階の通信プロトコルに従って行われても良く、例えば、次のような通信プロトコルを含んでも良いが、それに限定されず、即ち、1G（generation）、2G、2.5G、2.75G、3G、4G、4.5G及び将来の5G、新無線（NR、New  Radio）など、及び／又は、その他の従来の又は将来に開発される通信プロトコルである。
【００２６】
本発明の実施例では、用語「ネットワーク装置」は、例えば、通信システムにおける、端末装置を通信ネットワークに接続し、かつ該端末装置にサービスを提供する装置を指す。ネットワーク装置は、次のようなものを含んでも良いが、それに限定されず、即ち、基地局（BS、Base  Station）、アクセスポイント（AP、Access  Point）、送受信ポイント（TRP、Transmission  Reception  Point）、ブロードキャスト送信機、モバイル管理エンティティ（MME、Mobile  Management  Entity）、ネットワークゲートウェイ、サーバー、無線ネットワーク制御器（RNC、Radio  Network  Controller）、基地局制御器（BSC、Base  Station  Controller）などである。
【００２７】
そのうち、基地局は、次のようなものを含んでも良いが、それに限定されず、即ち、ノードB（NodeB又はNB）、進化ノードB（eNodeB又はeNB）及び5G基地局（gNB）などであり、さらにRRH（Remote  Radio  Head）、RRU（Remote  Radio  Unit）、リレー（relay）又は低パワーノード（例えば、femto、picoなど）を含んでも良い。また、用語「基地局」は、それらの一部又はすべての機能を含んでも良く、各基地局は、特定の地理の分野に対して通信カバレッジを提供することができる。用語「セル」が指すのは、基地局及び／又はそのカバーする分野であっても良い、これは、該用語のコンテキストによるものである。
【００２８】
本発明の実施例では、用語「ユーザ装置」（UE、User  Equipment）又は「端末装置」（TE、Terminal  Equipment）は、例えば、ネットワーク装置により通信ネットワークにアクセスし、かつネットワークからのサービスを受ける装置を指す。ユーザ装置は、固定したもの又は移動するものであっても良く、また、移動ステーション（MS、Mobile  Station）、端末、ユーザステーション（SS、Subscriber  Station）、アクセス端末（AT、Access  Terminal）、ステーションなどとも称される。
【００２９】
そのうち、ユーザ装置は、次のようなものを含んでも良いが、それに限定されず、例えば、携帯電話（Cellular  Phone）、PDA（Personaｌ  Digital  Assistant）、無線モデム、無線通信装置、携帯装置、マシンタイプ通信装置、ラップトップコンピュータ、コードレス電話機、スマートフォン、スマートウォッチ、デジタルカメラなどである。
【００３０】
また、例えば、IoT（Internet  of  Things）などのシナリオでは、ユーザ装置は、さらに、監視又は測定を行う機器又は装置であっても良く、例えば、次のようなものを含んでも良いが、それに限定されず、即ち、マシンタイプ通信（MTC、Machine  Type  Communication）端末、車載通信端末、D2D（Device  to  Device）端末、M2M（Machine  to  Machine）端末などである。
【００３１】
以下、例を挙げて本発明の実施例におけるシナリオについて説明を行うが、本発明は、これに限られない。
【００３２】
図1は、本発明の実施例における通信システムを示す図であり、端末装置及びネットワーク装置を例とする場合を示している。図1に示すように、通信システム100は、ネットワーク装置101及び端末装置102を含んでも良い。なお、便宜のため、図1では、1つののみの端末装置及び1つのみのネットワーク装置を例として説明を行うが、本発明の実施例は、これに限定されない。
【００３３】
本発明の実施例では、ネットワーク装置101と端末装置102との間は、従来のトラフィック又は将来実施可能なトラフィックが行われても良い。これらのトラフィックは、例えば、eMBB（enhanced  Mobile  Broadband）、mMTC（massive  Machine  Type  Communication）、URLLC(Ultra-Reliable  and  Low-Latency  Communication）などを含む。なお、ここでは、レイテンシに敏感であるURLLCトラフィックを例として実施例を説明するが、本発明は、これに限られず、レイテンシに敏感である他のトラフィックに適用することもできる。
【００３４】
以下、図面を参照しながら、本発明の各種の実施例について説明する。なお、これらの実施例は、例示に過ぎず、本発明を限定しない。
【実施例１】
【００３５】
本発明の実施例1は、トラフィック受信又は送信方法を提供する。図2は、本実施例における該トラフィック受信又は送信方法のフローチャートであり、該方法は、端末装置側に応用され、図2に示すように、以下のステップを含む。
【００３６】
ステップ201：低レイテンシトラフィックの受信又は送信を行う時間が測定間隔と重なり合うときに、端末装置が該測定間隔内で該低レイテンシトラフィックの受信又は送信を行う。
【００３７】
上述の実施例から分かるように、該測定間隔内で低レイテンシトラフィックの受信又は送信を行うことにより、低レイテンシトラフィックの受信又は送信過程において設定される測定間隔が出現するときに、低レイテンシトラフィックのレイテンシを減少させ、低レイテンシトラフィックのユーザ体験を保証することができる。
【００３８】
本実施例では、端末装置が周波数間測定を行う必要があるときに、ネットワーク側は、該端末装置のために測定間隔を設定することができ、それは、測定間隔の長さ及び測定間隔の周期の設定を含む。低周波帯の場合、測定間隔の長さが通常6ms、4ms又は3msに設定され、測定間隔の周期が20ms、40ms、80ms又は160msであり、一方、高周波帯の場合、測定間隔の長さが通常5.5ms、3.5ms又は1.5msに設定され、測定間隔の周期が20ms、40ms、80ms又は160msである。
【００３９】
本実施例では、低レイテンシトラフィックは、レイテンシに敏感であるトラフィックを示し、例えば、レイテンシが閾値D以下であると要求されるトラフィックであり、そのうち、閾値Dは通常、測定間隔の長さ以下である。
【００４０】
本実施例では、端末装置側において、低レイテンシトラフィックの受信を行うことは、該低レイテンシトラフィックが下りリンク低レイテンシトラフィックであることを示し、低レイテンシトラフィックの送信を行うことは、該低レイテンシトラフィックが上りリンク低レイテンシトラフィックであることを示す。低レイテンシトラフィックの受信を行うこととは、低レイテンシトラフィックに対して監視を行うことを指し、それは、低レイテンシトラフィックを実際に受信したことを含んでも良く、トラフィックを受信していないことを含んでも良く、低レイテンシトラフィックに関する制御チャネルを受信することを含んでも良い。低レイテンシトラフィックの送信を行うこととは、実際の低レイテンシトラフィックを送信し、及び／又は、低レイテンシトラフィックに関する情報を送信することを指し、例えば、該情報は、実際の低レイテンシトラフィックを送信する前にネットワーク側に送信するトラフィックスケジューリングリクエスト（SR）であっても良く、ネットワーク側に端末装置が低レイテンシトラフィックを送信する必要があることを通知するために用いられ、又は、該情報は、受信した下りリンク低レイテンシトラフィックに対して上りリンクフィードバック（ACK）又はチャネル品質情報であっても良い。
【００４１】
本実施例では、低レイテンシトラフィックの受信又は送信を行う時間が測定間隔と重なり合うことは、低レイテンシトラフィックの受信又は送信を行う時間が測定間隔全体（全体の期間）をカバーすることを示しても良く、低レイテンシトラフィックの受信又は送信を行う時間が測定間隔の一部の時間をカバーすることを示しても良いが、本実施例は、これについて限定しない。
【００４２】
図3A〜図3Dは、本実施例において低レイテンシトラフィックの受信又は送信を行う時間が測定間隔と重なり合うことを示す図である。図3Aに示すように、低レイテンシトラフィックの受信又は送信を行う時間は、測定間隔全体をカバーし、図3Bに示すように、低レイテンシトラフィックの受信又は送信を行う時間は、測定間隔の前の一部の時間をカバーし、図3Cに示すように、低レイテンシトラフィックの受信又は送信を行う時間は、測定間隔の後ろの一部の時間をカバーし、図3Dに示すように、低レイテンシトラフィックの受信又は送信を行う時間は、測定間隔の真中の一部の時間をカバーする。なお、これらは、低レイテンシトラフィックの受信又は送信を行う時間が測定間隔と重なり合うことの例示に過ぎず、本実施例は、これらに限定されない。
【００４３】
本実施例では、低レイテンシトラフィックの受信又は送信を行う時間が測定間隔と重なり合うときに、端末装置は、該測定間隔内で該低レイテンシトラフィックの受信又は送信を行い、該低レイテンシトラフィックの受信又は送信を行う期間内では、端末装置は、測定、例えば、周波数間測定、又は、inter-RAT（inter-radio  access  technology）測定を行わなくても良い。例えば、該測定間隔内の全体の期間において該低レイテンシトラフィックの受信又は送信を行い、測定を行わなくても良く、該測定間隔内の一部の期間（例えば、測定間隔が低レイテンシトラフィックの受信又は送信を行う時間と重なった一部の期間）において該低レイテンシトラフィックの受信又は送信を行い、他の一部の期間において測定を行っても良く、即ち、測定間隔内で該低レイテンシトラフィックの受信又は送信を行うときに、測定を行わない。なお、具体的には、以下の実施例2〜4において説明を行う。
【００４４】
本実施例では、該低レイテンシトラフィックは、1つの測定間隔の開始の前（例えば、第1個目の測定間隔の開始の前、又は、隣接する測定間隔の間（後の測定間隔の開始の前に相当する））に到着しても良く、又は、測定間隔内で到着しても良い。或いは、該低レイテンシトラフィックは、グラントを設定する方式で受信又は送信を行うことができ、又は、動的にスケジューリングする方式で受信又は送信を行うこともできる（該低レイテンシトラフィックがいつ到着するかを予測することができない）。以下、実施例2〜4を基に、それぞれ、上述の場合に、如何に低レイテンシトラフィックの受信又は送信を行うかを説明する。
【実施例２】
【００４５】
本発明の実施例2は、トラフィック受信又は送信方法を提供し、該方法は、端末装置側に応用される。実施例1を基に、低レイテンシトラフィックが測定間隔の開始の前に到着するときに、如何に該低レイテンシトラフィックの受信又は送信を行うかをさらに説明する。
【００４６】
1つの実施方式において、ネットワーク装置により、低レイテンシトラフィックの受信又は送信を行う時間が測定間隔と重なり合うときに、端末装置が該測定間隔内で該低レイテンシトラフィックの受信又は送信を行うことを事前定義又は事前設定することができる。低レイテンシトラフィックが1つの測定間隔の開始の前に到着する場合、低レイテンシトラフィックの受信又は送信を行う時間が測定間隔と重なり合うときに、端末装置は、上述のように事前定義又は事前設定する内容に基づいて、該測定間隔内で該低レイテンシトラフィックの受信又は送信を行う。
【００４７】
該実施方式では、低レイテンシトラフィックの受信又は送信を行う時間と重なった測定間隔、即ち、低レイテンシトラフィックの受信又は送信を行う時間によりカバーされる測定間隔であれば、該低レイテンシトラフィックの受信又は送信を行い、周波数間測定又はinter-RAT測定を行う必要がない。
【００４８】
該実施方式では、該測定間隔が、設定される所定期間内に含まれても良く、該端末装置は、該所定期間内で該低レイテンシトラフィックの受信又は送信を行う。
【００４９】
図4は、該実施方式におけるトラフィック受信又は送信方法のフローチャートであり、図4に示すように、該方法は、以下のステップを含む。
【００５０】
ステップ401：予め低レイテンシトラフィックを受信又は送信するときに、該所定期間を設定し、そのうち、該所定期間は、少なくとも1つの測定間隔を含み；
ステップ402：該端末装置が該所定期間内で該低レイテンシトラフィックの受信又は送信を行う。
【００５１】
ステップ401では、タイマーを起動することで該所定期間を設定することができ、予め低レイテンシトラフィックを受信又は送信したときに、直ぐにタイマーを起動しても良く、予め低レイテンシトラフィックを受信又は送信してからの所定時間の後に該タイマーを起動しても良いが、本実施例は、これに限定されない。また、本発明は、該所定期間の長さについて限定せず、例えば、該所定期間は、少なくとも1つの測定間隔を含んでも良い。ステップ402では、該端末装置は、該所定期間内で該低レイテンシトラフィックの受信又は送信を行う。なお、該低レイテンシトラフィックの受信又は送信を行うことの具体的な意味については、実施例1を参照することができ、ここでは、その詳しい説明を省略する。
【００５２】
該実施方式では、該方法はさらに、以下のステップを含んでも良い。
【００５３】
ステップ403（オプション）：該所定期間内で低レイテンシトラフィックの受信がないとき又は該所定期間内で該低レイテンシトラフィックの送信がないときに、該所定期間の後の測定間隔内で測定を行う。
【００５４】
図5は、該実施方式を示す図である。図5に示すように、予め低レイテンシトラフィックを受信到又は送信するときに、該所定期間Aを設定し、それは、測定間隔Bを含み、端末装置は、所定期間A内（測定間隔Bを含む）で該低レイテンシトラフィックの受信又は送信を行い、該所定期間の後の測定間隔C内で測定を行う。
【００５５】
該実施方式では、該方法はさらに、次のようなこと（図示せず）を含んでも良く、即ち、ネットワーク装置送信の設定情報を受信し、該設定情報は、該端末装置が低レイテンシトラフィックの受信又は送信を行う時間が測定間隔と重なり合うときに、該測定間隔内で該低レイテンシトラフィックの受信又は送信を行うことを設定する。なお、該設定情報については、以下の実施例5で詳細に説明する。
【００５６】
もう1つの実施方式において、ネットワーク装置により第一指示情報を送信しても良く、第一指示情報は、該低レイテンシトラフィックの受信又は送信を行う測定間隔に関する情報を指示する。低レイテンシトラフィックが測定間隔の開始の前に到着する場合、低レイテンシトラフィックの受信又は送信を行う時間が測定間隔と重なり合うときに、端末装置は、該第一指示情報に基づいて、該測定間隔内で該低レイテンシトラフィックの受信又は送信を行うことを確定することができる。
【００５７】
該実施方式では、該第一指示情報において指示される測定間隔であれば、該低レイテンシトラフィックの受信又は送信を行うことができ、即ち、低レイテンシトラフィックの受信又は送信を行う時間によりカバーされるため、周波数間測定又はinter-RAT測定を行う必要がない。
【００５８】
該実施方式では、該測定間隔に関する情報は、該低レイテンシトラフィックの受信又は送信を行う測定間隔の数量情報及び／又は位置情報を含んでも良く、そのうち、該位置情報は、測定間隔の開始時間又は開始位置情報又は終了時間又は終了位置情報又は測定間隔のカバーされる期間情報であっても良く、端末装置は、開始時間又は開始位置又は終了時間又は終了位置情報に基づいて測定間隔を確定することができ、端末装置は、測定間隔のカバーされる期間に基づいて、該期間内で覆盖される測定間隔を確定することができる。
【００５９】
該実施方式では、該第一指示情報は、下りリンク制御チャネル（PDCCH）又は媒体アクセス制御（MAC）又は無線リソース制御（RRC）シグナリングによりキャリー（Carry）され得る。
【００６０】
該実施方式では、該第一指示情報は、低レイテンシトラフィック到着前に送信されても良く、或いは、低レイテンシトラフィック到着後に送信されても良いが、カバーされる測定間隔の前に受信される必要がある。
【００６１】
図6は、該実施方式におけるトラフィック受信又は送信方法フローチャートであり、図6に示すように、該方法は、以下のステップを含む。
【００６２】
ステップ601：ネットワーク装置送信の第一指示情報を受信し、第一指示情報は、該低レイテンシトラフィックの受信又は送信を行う測定間隔に関する情報を指示し；
ステップ602：該端末装置が該情報に基づいて、該低レイテンシトラフィックの受信又は送信を行う少なくとも1つの測定間隔を確定し；
ステップ603：ステップ602で確定された少なくとも1つの測定間隔内で該低レイテンシトラフィックの受信又は送信を行い、そのうち、該低レイテンシトラフィックの受信又は送信を行うことの具体的な意味については、実施例1を参照することができ、ここでは、その詳しい説明を省略する。
【００６３】
図7は、該実施方式を示す図である。図7に示すように、第一指示情報を受信し、それは、測定間隔Dに関する情報を含み、端末装置は、該第一指示情報に基づいて該測定間隔Dを確定し、該測定間隔D内で該低レイテンシトラフィックの受信又は送信を行い、周波数間測定又はinter-RAT測定を行う必要がない。
【００６４】
本実施例では、端末装置の所在するサービングセルのサービス品質が悪い場合、測定間隔内で該低レイテンシトラフィックの受信又は送信を行っても、該低レイテンシトラフィッは、サービス品質が悪いことが原因で、正常に受信又は送信することができない可能性がある。よって、本実施例では、サービス品質変化に関する所定条件が満足されるときに、上述の測定間隔（例えば、所定期間に含まれる測定間隔、又は、第一指示情報により指示される測定間隔）内で該低レイテンシトラフィックの受信又は送信を行っても良く、これにより、サービングセルの品質を保証し、低レイテンシトラフィックのユーザ体験を保証することができる。
【００６５】
よって、本実施例では、該低レイテンシトラフィックの受信又は送信を行う前に、該方法はさらに、次のようこと（図示せず）を含んでも良く、即ち、サービス品質変化に関する所定条件を満足することを確定し；また、サービス品質変化に関する所定条件が満足されるときに、端末装置は、該測定間隔内で該低レイテンシトラフィックの受信又は送信を行う。
【００６６】
本実施例では、該所定条件は、サービングセルのサービス品質が第一閾値よりも高く、又は、サービングセルのサービス品質が第二閾値よりも高く、隣接するセルのサービス品質が第三閾値よりも低く、又は、隣接するセルのサービス品質が第四閾値よりも低く、又は、サービングセルのサービス品質が隣接するセルのサービス品質よりも高く、又は、サービングセルのサービス品質が隣接するセルのサービス品質の第五閾値よりも高いことを含み、そのうち、これらの閾値は、ニーズに応じて決定されても良く、本実施例は、これに限定されない。
【００６７】
本実施例では、従来のトリガーイベントA2、A3、A4、A5、B1、B2がトリガーされるかにより、上述の所定条件を満足するかを確定することができ、例えばA2、A3、A4、A5、B1、B2がトリガーされない場合、サービングセルのサービス品質が第二閾値よりも高く、隣接するセルのサービス品質が第三閾値よりも低く、又は、隣接するセルのサービス品質が第四閾値よりも低く、又は、サービングセルのサービス品質が隣接するセルのサービス品質よりも高く、又は、サービングセルのサービス品質が隣接するセルのサービス品質の第五閾値よりも高いことを示し、そのうち、トリガーイベントA2、A3、A4、A5、B1、B2の具体的な意味については、従来の技術を参照することができ、ここでは、その詳しい説明を省略する。
【００６８】
本実施例では、該方法はさらに、次のようなこと（図示せず）を含み、即ち、ネットワーク装置送信の第二指示情報を受信し、該第二指示情報は、該所定条件を指示し、端末装置は、該第二指示情報を受信した後に、該第二指示情報に基づいて所定条件を確定し、該所定条件が満足されるかを確定し、満足されるときに該測定間隔内で該低レイテンシトラフィックの受信又は送信を行う。
【００６９】
本実施例では、該方法はさらに、次のようなこと（図示せず）を含み、即ち、ネットワーク装置送信の設定情報を受信し、該設定情報が、サービス品質変化に関する所定条件が満足されることを指示するときに、端末装置は、該測定間隔内で該低レイテンシトラフィックの受信又は送信を行い；又は、該第二指示情報が、該所定条件の他に、さらサービス品質変化に関する所定条件が満足されることを指示するときに、端末装置は、該測定間隔内で該低レイテンシトラフィックの受信又は送信を行うが、本実施例は、これに限られない。1つの実施方式において、該端末装置がネットワーク装置により設定されるグラントを有するときに、該グラントは、測定間隔をカバーし、そのうち、該グラントは、低レイテンシトラフィックの受信又は送信を行うために用いられる。
【００７０】
該実施方式では、該グラントが測定間隔をカバーすることは、該グラントが測定間隔全体をカバーすることを示しても良く、該グラントが測定間隔の一部の時間（例えば、グラントが測定間隔と重なった一部の時間）をカバーすることを示しても良く、本実施例は、これに限定されない。
【００７１】
該実施方式では、該ネットワーク装置が設定するグラントは、ネットワーク装置が予め、端末装置のために設定する、該端末装置が低レイテンシトラフィックの受信又は送信を行うリソースであり、ネットワーク装置が、先に、該リソースを端末装置のために設定し、端末装置は、該リソース上で低レイテンシトラフィックの受信又は送信を行うことができる。
【００７２】
該実施方式では、該グラントが測定間隔と重なり合った（グラントとしてのリソースの時間領域位置が測定間隔と重なり合ったことを示す）ときに、該グラントは、該測定間隔をカバーする。このようにネットワーク装置の事前設定のグラントが該測定間隔をカバーしているため、端末装置が該グラント内で低レイテンシトラフィックの受信又は送信を行うことは、該測定間隔が、該グラントによりカバーされ、端末装置が低レイテンシトラフィックの受信又は送信を行うためのものであり、該測定間隔の全体の期間又は一部の期間内で周波数間測定又はinter-RAT測定を行わないことを意味し、実際の低レイテンシトラフィックが該測定間隔内で到着しても、端末装置は、上述のように受信機を異なる周波数又は異なるセルに調整して測定を行うという問題が現れることがなく、即ち、該測定間隔内で低レイテンシトラフィックの受信又は送信を行うことができる。
【００７３】
該実施方式では、ステップ201の前に、該方法はさらに、次のようなこと（図示せず）を含んでも良く、即ち、ネットワーク装置送信の設定情報を受信し、該設定情報は、該端末装置がグラントを有するときに、該グラントが該測定間隔をカバーすることを設定し、また、該設定情報はさらに、該グラントの数量及び／又は測定間隔の数量情報を含んでも良く、例えば、該設定情報において、N個のグラントが測定間隔をカバーし、又は、グラントがM個の測定間隔をカバーし、又は、N個のグラントがM個の測定間隔をカバーすると設定されても良いが、本実施例は、これに限定されない。なお、上述の設定情報、第一指示情報及び第二指示情報の具体的な実施方式については、以下の実施例5で詳細に説明する。
【００７４】
上述の実施例から分かるように、該測定間隔内で低レイテンシトラフィックの受信又は送信を行うことにより、低レイテンシトラフィックの受信又は送信過程において設定される測定間隔が出現するときに、低レイテンシトラフィックのレイテンシを減少させ、低レイテンシトラフィックのユーザ体験を保証することができる。
【実施例３】
【００７５】
本発明の実施例3は、トラフィック受信又は送信方法を提供し、該方法は、端末装置側に応用される。実施例1を基に、低レイテンシトラフィックが測定間隔内で到着するときに、如何に該低レイテンシトラフィックの受信又は送信を行うかを説明する。
【００７６】
図8は、低レイテンシトラフィックが測定間隔内で到着することを示す図である。図8に示すように、該低レイテンシトラフィックが測定間隔Eの中で到着し、該測定間隔が開始されているから、従来の規格における規定によれば、端末装置は、測定プロセスを開始しおり、受信機を異なる周波数に調整して周波数間測定を行っている可能性があり、又は、受信機を異なるセルに調整してinter-RAT測定を行っている可能性がある。よって、低レイテンシトラフィックのレイテンシを避けるため、1つの実施方式において、該方法はさらに、以下のようなこと（図示せず）を含んでも良い。
【００７７】
該端末装置がネットワーク装置の設定したグラントを有するときに、該グラントは、測定間隔をカバーし、そのうち、該グラントは、低レイテンシトラフィックの受信又は送信のために用いられる。
【００７８】
該実施方式では、該グラントが測定間隔をカバーすることは、該グラントが測定間隔全体をカバーすることを示しても良く、該グラントが測定間隔の一部の時間（例えば、グラントが測定間隔と重なった一部の時間）をカバーすることを示しても良いが、本実施例は、これに限定されない。
【００７９】
該実施方式では、該ネットワーク装置が設定するグラントは、ネットワーク装置が予め、端末装置のために設定する、該端末装置が低レイテンシトラフィックの受信又は送信を行うリソースであり、ネットワーク装置が、先に、該リソースを端末装置のために設定し、端末装置は、該リソース上で低レイテンシトラフィックの受信又は送信を行うことができる。
【００８０】
該実施方式では、該グラントが測定間隔と重なり合った（グラントとしてリソースの時間領域位置が測定間隔と重なり合ったことを示す）ときに、該グラントは、該測定間隔をカバーする。このようにネットワーク装置の事前設定のグラントが既に該測定間隔をカバーしているから、端末装置が該グラント内で低レイテンシトラフィックの受信又は送信を行うことは、該測定間隔が、該グラントによりカバーされ、端末装置が低レイテンシトラフィックの受信又は送信を行うために用いられ、該測定間隔の全体の期間又は一部の期間内で周波数間測定又はinter-RAT測定を行わないことを意味し、実際の低レイテンシトラフィックが該測定間隔内で到着しても、端末装置は、上述のように受信機を異なる周波数又は異なるセルに調整して測定を行うという問題が現れることがなく、即ち、該測定間隔内で低レイテンシトラフィックの受信又は送信を行うことができる。
【００８１】
該実施方式では、ステップ201の前に、該方法はさらに、次のようなこと（図示せず）を含んでも良く、即ち、ネットワーク装置送信の設定情報を受信し、該設定情報は、該端末装置がグラントを有するときに、該グランが該測定間隔をカバーすることを設定し、また、該設定情報はさらに、グラントの数量及び／又は測定間隔の数量情報を含んでも良い。例えば、該設定情報において、N個のグラントが測定間隔をカバーし、又は、グラントがM個の測定間隔をカバーし、又は、N個のグラントがM個の測定間隔をカバーすると設定されても良いが、本実施例は、これに限定されない。
【００８２】
もう1つの実施方式において、低レイテンシトラフィックの受信又は送信を行う時間が測定間隔と重なり合うことは、該測定間隔内で測定を実行し始めた後に低レイテンシトラフィックの送信があることを含み、該方法はさらに、次のようなこと（図示せず）を含んでも良く、即ち、端末装置がサービングセルに戻り、かつ該測定間隔内で継続して低レイテンシトラフィックの送信を行い、及び、ネットワーク装置送信の該低レイテンシトラフィックに対しての確認メッセージを受信する。
【００８３】
該実施方式では、端末装置が測定間隔内で測定を実行し始めたことは、該端末装置が既に受信機を異なる周波数に調整して周波数間測定を行っており、又は、受信機を異なるセルに調整してinter-RAT測定を行っていることを示し、上りリンク低レイテンシトラフィックの到着があるときに、端末装置は、サービングセルに戻り、該測定間隔の残りの時間内で継続して低レイテンシトラフィックの送信を行い、及び、ネットワーク装置送信の該上りリンク低レイテンシトラフィックに対しての確認メッセージを受信し、これにより、レイテンシトラフィックのレイテンシを減少させることができる。
【００８４】
上述の実施例から分かるように、該測定間隔内で低レイテンシトラフィックの受信又は送信を行うことにより、低レイテンシトラフィックの受信又は送信過程において設定される測定間隔が出現するときに、低レイテンシトラフィックのレイテンシを減少させ、低レイテンシトラフィックのユーザ体験を保証することができる。
【実施例４】
【００８５】
本発明の実施例4は、トラフィック受信又は送信方法を提供し、該方法は、端末装置側に応用される。実施例1を基に、低レイテンシトラフィックが、グラントを設定する方式で受信又は送信され、又は、低レイテンシトラフィックが、動的にスケジューリングする方式で受信又は送信される（該低レイテンシトラフィックがいつ到着するかを予測できない）ときに、如何に該低レイテンシトラフィックの受信又は送信を行うかをさらに説明する。
【００８６】
本実施例では、1つの実施方式において、上りリンク低レイテンシトラフィックについて、ネットワーク装置により、低レイテンシトラフィックの送信を行う時間が測定間隔と重なり合うときに、端末装置が該測定間隔内で該低レイテンシトラフィックの送信を行うことを事前定義又は事前設定しても良い。端末装置が上りリンク低レイテンシトラフィックを送信する必要があり、かつ低レイテンシトラフィックの送信を行う時間が測定間隔と重なり合うときに、端末装置は、上述のように事前定義又は事前設定することに基づいて、該測定間隔内で該低レイテンシトラフィックの送信を行うことができる。
【００８７】
該実施方式では、低レイテンシトラフィックの送信を行う時間と重なり合った測定間隔、即ち、低レイテンシトラフィックの送信を行う時間によりカバーされた測定間隔であれば、該低レイテンシトラフィックの送信を行い、該測定間隔の全体の期間又は一部の期間内で周波数間測定又はinter-RAT測定を行う必要がない。
【００８８】
該実施方式では、該測定間隔が、設定される所定期間内に含まれても良く、該端末装置は、該所定期間内で該低レイテンシトラフィックの受信又は送信を行う。
【００８９】
なお、該実施方式の具体的な実施方式については、実施例2を参照することができ、ここでは、その詳しい説明を省略する。
【００９０】
本実施例では、端末装置の所在するサービングセルのサービス品質が悪い場合、測定間隔内で該低レイテンシトラフィックの送信を行っても、該低レイテンシトラフィックは、サービス品質が悪いことが原因で、正常に送信することができない可能性がある。よって、本実施例では、サービス品質変化に関する所定条件が満足されるときに、上述の測定間隔内で該低レイテンシトラフィックの送信を行い、これにより、サービングセルの品質を保証することができ、低レイテンシトラフィックのユーザ体験を保証することができる。
【００９１】
よって、本実施例では、該低レイテンシトラフィックの送信を行う前に、該方法はさらに、次のようなこと（図示せず）を含み、即ち、サービス品質変化に関する所定条件が満足されることを確定し；また、サービス品質変化に関する所定条件が満足されるときに、端末装置が該測定間隔内で該低レイテンシトラフィックの送信を行う。
【００９２】
なお、該所定条件の具体的な実施方式については、実施例2を参照することができ、本実施例では、その詳しい説明を省略する。
【００９３】
本実施例では、該方法はさらに、次のようなこと（図示せず）を含み、即ち、ネットワーク装置送信の第二指示情報を受信し、該第二指示情報は、該所定条件を指示し、端末装置は、該第二指示情報を受信した後に、該第二指示情報に基づいて所定条件を確定し、そして、該所定条件が満足されるかを確定し、満足されるときに該測定間隔内で該低レイテンシトラフィックの送信を行う。
【００９４】
本実施例では、該方法はさらに、次のようなこと（図示せず）を含み、即ち、ネットワーク装置送信の設定情報を受信し、該設定情報が、サービス品質変化に関する所定条件が満足されることを指示するときに、端末装置は、該測定間隔内で該低レイテンシトラフィックの送信を行い、又は、該第二指示情報が、該所定条件の他に、サービス品質変化に関する所定条件が満足されることをさらに指示するときに、端末装置は、該測定間隔内で該低レイテンシトラフィックの送信を行うが、本実施例は、これに限定されない。
【００９５】
1つの実施方式において、該端末装置がネットワーク装置の設定したグラントを有するときに、該グラントは、測定間隔をカバーし、そのうち、該グラントは、低レイテンシトラフィックの受信又は送信のために用いられる。
【００９６】
該実施方式では、該グラントが測定間隔をカバーすることは、該グラントが測定間隔全体をカバーすることを示しても良く、該グラントが測定間隔の一部の時間（例えば、グラントが測定間隔と重なった一部の時間）をカバーすることを示しても良いが、本実施例は、これに限定されない。
【００９７】
該実施方式では、該ネットワーク装置が設定するグラントは、ネットワーク装置が予め、端末装置のために設定する、該端末装置が低レイテンシトラフィックの受信又は送信を行うリソースであり、ネットワーク装置が、先に、該リソースを端末装置のために設定し、端末装置は、該リソース上で低レイテンシトラフィックの受信又は送信を行うことができる。
【００９８】
該実施方式では、該グラントが測定間隔と重なり合った（グラントのリソースの時間領域位置が測定間隔と重なり合ったことを示す）ときに、該グラントは、該測定間隔をカバーする。このようにネットワーク装置の事前設定のグラントが既に該測定間隔をカバーしているから、端末装置が該グラント内で低レイテンシトラフィックの受信又は送信を行うことは、該測定間隔が、該グラントによりカバーされ、端末装置が低レイテンシトラフィックの受信又は送信を行うために用いられ、該測定間隔の全体の期間又は一部の期間内で周波数間測定又はinter-RAT測定を行わないことを意味し、実際の低レイテンシトラフィックが該測定間隔内で到着しても、端末装置は、上述のように受信機を異なる周波数又は異なるセルに調整して測定を行うという問題が現れることがなく、即ち、該測定間隔内で低レイテンシトラフィックの受信又は送信を行うことができる。
【００９９】
該実施方式では、ステップ201の前に、該方法はさらに、次のようなこと（図示せず）を含んでも良く、即ち、ネットワーク装置送信の設定情報を受信し、該設定情報は、該端末装置がグラントを有するときに、該グランが該測定間隔をカバーすることを設定し、また、該設定情報はさらに、グラントの数量及び／又は測定間隔の数量情報を含んでも良い。例えば、該設定情報において、N個のグラントが測定間隔をカバーし、又は、グラントがM個の測定間隔をカバーし、又は、N個のグラントがM個の測定間隔をカバーすると設定されても良いが、本実施例は、これに限定されない。
【０１００】
なお、上述の設定情報及び第二指示情報の具体的な実施方式については、以下の実施例5において詳しく説明する。
【０１０１】
上述の実施例から分かるように、該測定間隔内で低レイテンシトラフィックの受信又は送信を行うことにより、低レイテンシトラフィックの受信又は送信過程において設定される測定間隔が出現するときに、低レイテンシトラフィックのレイテンシを減少させ、低レイテンシトラフィックのユーザ体験を保証することができる。
【実施例５】
【０１０２】
本発明の実施例5は、トラフィック受信又は送信方法を提供し、該方法は、ネットワーク装置側に応用される。該方法が問題を解決する原理が実施例1〜4の方法と同様であるから、その具体的な実施については、実施例1〜4の方法の実施を参照することができ、ここでは、内容が同じである重複説明が省略される。
【０１０３】
図9は、本実施例におけるトラフィック受信又は送信方法のフローチャートであり、図9に示すように、該方法は、以下のステップを含む。
【０１０４】
ステップ901：ネットワーク装置が端末装置に設定情報を送信し、該設定情報は、該端末装置が低レイテンシトラフィックの受信又は送信を行う時間が測定間隔と重なり合うときに、該端末装置が該測定間隔内で該低レイテンシトラフィックの受信又は送信を行うことを設定する。
【０１０５】
本実施例では、端末装置が、該設定情報に基づいて、測定間隔内で低レイテンシトラフィックの受信又は送信を行うことができ、これより、低レイテンシトラフィックの受信又は送信過程において設定される測定間隔が出現するときに、低レイテンシトラフィックのレイテンシを減少させ、低レイテンシトラフィックのユーザ体験を保証することができる。
【０１０６】
本実施例では、RRCシグナリング又はMACシグナリング又は物理層シグナリングにより該設定情報を送信することができ、例えば、該設定情報は、事前定義のフィールドmeasGAPoverrideを含んでも良く、設定情報に該フィールドが出現するときに、該端末装置が低レイテンシトラフィックの受信又は送信を行う時間が測定間隔と重なり合うときに、該端末装置が該測定間隔内で該低レイテンシトラフィックの受信又は送信を行うという設定を示し；又は、該フィールドの値が1のときに、該端末装置が低レイテンシトラフィックの受信又は送信を行う時間が測定間隔と重なり合うときに、該端末装置が該測定間隔内で該低レイテンシトラフィックの受信又は送信を行うという設定を示すが、本実施例は、これを例とするが、これに限定されない。
【０１０７】
本実施例では、該設定情報は、低レイテンシトラフィックの受信又は送信を行う時間と重なり合った測定間隔、即ち、低レイテンシトラフィックの受信又は送信を行う時間によりカバーされた測定間隔であれば、端末装置が低レイテンシトラフィックの受信又は送信を行い、周波数間測定又はinter-RAT測定を行う必要がないことを表す。
【０１０８】
本実施例では、該方法はさらに、以下のステップを含んでも良い。
【０１０９】
ステップ902（オプション）：該測定間隔内で該低レイテンシトラフィックの送信又は受信を行う。
【０１１０】
ステップ902では、ネットワーク装置側において、該低レイテンシトラフィックの送信を行うことは、該低レイテンシトラフィックが下りリンク低レイテンシトラフィックであることを示し、該低レイテンシトラフィックの受信を行うことは、該低レイテンシトラフィックが上りリンク低レイテンシトラフィックであることを示す。
【０１１１】
本実施例では、ステップ902の前に、該方法はさらに、次のようなこと図示せず）を含み、即ち、該端末装置に第二指示情報を送信し、該第二指示情報は、サービス品質変化に関する所定条件を指示し、そのうち、端末装置は、該設定情報及び第二指示情報に基づいて、低レイテンシトラフィックの受信又は送信を行う時間が測定間隔と重なり合い、かつ第二指示情報指示の所定条件が満足されるときに、測定間隔内で低レイテンシトラフィックの受信又は送信を行うことを確定することができる。なお、該所定条件の意味については、実施例2を参照することができ、ここでは、その詳しい説明を省略する。
【０１１２】
本実施例では、RRCシグナリング又はMACシグナリング又は物理層シグナリングにより該第二指示情報を送信することができ、該第二指示情報は、上述の設定情報と一緒に送信されても良く、別々で送信されても良いが、本実施例は、これに限定されない。
【０１１３】
図10は、本実施例におけるトラフィック受信又は送信方法のフローチャートであり、図10に示すように、該方法は、以下のステップを含む。
【０１１４】
ステップ1001：ネットワーク装置が端末装置に設定情報を送信し、該設定情報は、該端末装置が低レイテンシトラフィックの受信又は送信を行う時間が測定間隔と重なり合い、かつサービス品質変化に関する所定条件が満足されるときに、該端末装置が該測定間隔内で該低レイテンシトラフィックの受信又は送信を行うことを設定する。
【０１１５】
本実施例では、RRCシグナリング又はMACシグナリング又は物理層シグナリングにより該設定情報を送信することができ、例えば、該設定情報は、フィールドmeasGAPoverride及びtriggereventフィールドを含んでも良く、設定情報にこの2つのフィールドが現れるときに、該端末装置が低レイテンシトラフィックの受信又は送信を行う時間が測定間隔と重なり合い、かつサービス品質変化に関する所定条件が満足されるときに、該端末装置が該測定間隔内で該低レイテンシトラフィックの受信又は送信を行うという設定を示し；又は、該フィールドmeasGAPoverrideの値が1であり、該フィールドtriggereventが所定条件を指示するときに、該端末装置が低レイテンシトラフィックの受信又は送信を行う時間が測定間隔と重なり合い、かつ該所定条件が満足されるときに、端末装置が該測定間隔内で該低レイテンシトラフィックの受信又は送信を行うという設定を示すが、本実施例は、これを例とするが、これに限定されない。
【０１１６】
本実施例では、該方法はさらに、次のようなこと（図示せず；オプション）を含んでも良く、即ち、該端末装置に第二指示情報を送信し、該第二指示情報は、該所定条件を指示する。なお、該所定条件の意味については、実施例2を参照することができ、ここでは、その詳しい説明を省略する。
【０１１７】
本実施例では、RRCシグナリング又はMACシグナリング又は物理層シグナリングにより該第二指示情報を送信することができ、該第二指示情報は、上述の設定情報と一緒に送信されても良く、別々で送信されても良いが、本実施例は、これに限定されない。
【０１１８】
本実施例では、該方法はさらに、以下ステップを含んでも良い。
【０１１９】
ステップ1002（オプション）：該測定間隔内で低レイテンシトラフィックの送信又は受信を行う。
【０１２０】
ステップ1002では、ネットワーク装置側において、該低レイテンシトラフィックの送信を行うことは、該低レイテンシトラフィックが下りリンク低レイテンシトラフィックであることを示し、該低レイテンシトラフィックの受信を行うことは、該低レイテンシトラフィックが上りリンク低レイテンシトラフィックであることを表す。
【０１２１】
本実施例では、ステップ1002の前に、該方法はさらに、次のようなこと（オプション；図示せず）を含んでも良く、即ち、端末装置報告の測定報告を受信し、該測定報告に基づいて、該所定条件が満足されるかを確定し、該所定条件が満足されるときに、ステップ1002を行うが、本実施例は、これに限定されない。
【０１２２】
図11は、本実施例におけるトラフィック受信又は送信方法のフローチャートであり、図11に示すように、該方法は、以下のステップを含む。
【０１２３】
ステップ1101：ネットワーク装置が該端末装置に第一指示情報を送信し、該第一指示情報は、低レイテンシトラフィックの受信又は送信を行う測定間隔に関する情報を指示する。
【０１２４】
該実施方式では、低レイテンシトラフィックの受信又は送信を行う時間が測定間隔と重なり合うときに、端末装置は、該第一指示情報に基づいて、該測定間隔内で該低レイテンシトラフィックの受信又は送信を行うことを確定する。
【０１２５】
該実施方式では、該第一指示情報において指示される測定間隔であれば、該低レイテンシトラフィックの受信又は送信を行い、即ち、低レイテンシトラフィックの受信又は送信を行う時間によりカバーされ、周波数間測定又はinter-RAT測定を行う必要がない。
【０１２６】
なお、該測定間隔に関する情報の具体的な実施方式については、実施例2を参照することができ、該実施方式では、その詳しい説明を省略する。
【０１２７】
該実施方式では、該第一指示情報は、下りリンク制御チャネル（PDCCH）又は媒体アクセス制御（MAC）又は無線リソース制御（RRC）シグナリングによりキャリーされ得る。
【０１２８】
該実施方式では、ネットワーク装置は、カバーされる測定間隔の前に該第一指示情報を送信する必要があるが、本実施例は、該第一指示情報を送信する具体的なタイミングについて限定しない。
【０１２９】
本実施例では、該方法はさらに、以下のステップを含んでも良い。
【０１３０】
ステップ1102（オプション）：該測定間隔内で該低レイテンシトラフィックの送信又は受信を行う。
【０１３１】
ステップ1102では、ネットワーク装置側において、該低レイテンシトラフィックの送信を行うことは、該低レイテンシトラフィックが下りリンク低レイテンシトラフィックであることを示し、該低レイテンシトラフィックの受信を行うことは、該低レイテンシトラフィックが上りリンク低レイテンシトラフィックであることを示す。
【０１３２】
本実施例では、ステップ1102の前に、該方法はさらに、次のようなこと（図示せず；オプション）を含んでも良く、即ち、該端末装置に第二指示情報を送信し、該第二指示情報は、サービス品質変化に関する所定条件を指示し、そのうち、端末装置は、該第一指示情報及び第二指示情報に基づいて、低レイテンシトラフィックの受信又は送信を行う時間が測定間隔と重なり合い、かつ第二指示情報指示の所定条件が満足されるときに、第一指示情報指示の測定間隔内で低レイテンシトラフィックの受信又は送信を行うことを確定することができる。なお、該所定条件の意味については、実施例2を参照することができ、ここでは、その詳しい説明を省略する。
【０１３３】
本実施例では、RRCシグナリング又はMACシグナリング又は物理層シグナリングにより該第二指示情報を送信することができ、該第一指示情報及び該第二指示情報は、1つのメッセージ又はシグナリングにおいて一緒に送信されても良く、別々で送信されても良い。なお、本実施例は、該第一指示情報及び第二指示情報の送信の前後の順序について限定しない。
【０１３４】
図12は、本実施例におけるトラフィック受信又は送信方法のフローチャートであり、図12に示すように、該方法は、以下のステップを含む。
【０１３５】
ステップ1201：ネットワーク装置が端末装置に設定情報を送信し、該設定情報は、該端末装置がグラントを有するときに、該グラントが該低レイテンシトラフィックの受信又は送信を行う測定間隔をカバーすることを設定する。
【０１３６】
該実施方式では、該ネットワーク装置が設定するグラントは、ネットワーク装置が予め、端末装置のために設定する、該端末装置がトラフィックの受信又は送信を行うリソースであっても良く、ネットワーク装置が、先に、該リソースを端末装置のために設定し、端末装置は、該リソース上で低レイテンシトラフィックの受信又は送信を行うことができる。
【０１３７】
本実施例では、該設定情報は、該ネットワーク装置が端末装置のためにグラントを設定する前に端末装置を送信することができ、該ネットワーク装置が端末装置のためにグラントを設定した後に端末装置に送信することもできるが、本実施例は、これに限定されない。
【０１３８】
該実施方式では、該グラントが測定間隔をカバーすることは、該グラントが測定間隔全体をカバーすることを示しても良く、該グラントが測定間隔の一部の時間（例えば、グラントが測定間隔と重なった一部の時間）をカバーすることを示しても良いが、本実施例は、これに限定されない。
【０１３９】
本実施例では、RRCシグナリング又はMACシグナリング又は物理層シグナリングにより該設定情報を送信することができ、例えば、該設定情報は、フィールドmeasGAPoverridebygrantを含んでも良く、設定情報に該フィールドが出現するときに、該端末装置がグラントを有するときに該グラントが測定間隔をカバーすることを示し；又は、該フィールドの値が1であるときに、該端末装置がグラントを有するときに該グラントが測定間隔をカバーすることを示すが、本実施例は、これを例とするが、これに限定されない。また、該設定情報はさらに、グラントの数量及び／又は測定間隔の数量情報を含んでも良く、例えば、該設定情報において、N個のグラントが測定間隔をカバーし、又は、グラントがM個の測定間隔をカバーし、又は、N個のグラントがM個の測定間隔をカバーすると設定されても良いが、本実施例は、これに限定されない。
【０１４０】
本実施例では、該方法はさらに、次のようなこと（図示せず）を含んでも良く、即ち、端末装置のためにグラントを設定し、該グラントは、低レイテンシトラフィックの受信又は送信のために用いられ、そのうち、ネットワーク装置がさらに端末装置のために測定間隔を設定しているため、該グラントが、設定される測定間隔と重なり合うときに、該グラントを、該測定間隔をカバーする（測定間隔の全体の期間をカバーしても良く、又は、一部の期間、例えば、上述の重なり合った期間をカバーしても良い）ように設定し、このようにネットワーク装置の事前設定のグラントが既に該測定間隔をカバーしているから、端末装置が該グラント内で低レイテンシトラフィックの受信又は送信を行うことは、該測定間隔が、該グラントによりカバーされ、端末装置が低レイテンシトラフィックの受信又は送信を行うために用いられ、周波数間測定又はinter-RAT測定を行わないことを意味し、実際の低レイテンシトラフィックが該測定間隔内で到着しても、端末装置は、上述のように受信機を異なる周波数又は異なるセルに調整して測定を行うような問題が現れることがなく、即ち、該測定間隔内で低レイテンシトラフィックの受信又は送信を行うことができる。
【０１４１】
本実施例では、該グラントは、該設定情報と一緒に送信されても良く、別々で送信されても良く、又は、該設定情報のみは、送信されも良く、そのうち、該グラントは、従来技術のように、RRCシグナリングにより送信されても良いが、本実施例は、これに限定されない。
【０１４２】
本実施例では、該方法はさらに、以下のステップを含んでも良い。
【０１４３】
ステップ1202（オプション）：該測定間隔内で該低レイテンシトラフィックの送信又は受信を行う。
【０１４４】
ステップ1202では、ネットワーク装置側において、該低レイテンシトラフィックの送信を行うことは、該低レイテンシトラフィックが下りリンク低レイテンシトラフィックであることを表し、該低レイテンシトラフィックの受信を行うことは、該低レイテンシトラフィックが上りリンク低レイテンシトラフィックであることを表す。
【０１４５】
上述の実施例から分かるように、該測定間隔内で低レイテンシトラフィックの受信又は送信を行うことにより、低レイテンシトラフィックの受信又は送信過程において設定される測定間隔が出現するときに、低レイテンシトラフィックのレイテンシを減少させ、低レイテンシトラフィックのユーザ体験を保証することができる。
【実施例６】
【０１４６】
本発明の実施例6は、測定方法を提供し、図13は、本実施例における該測定方法のフローチャートであり、該方法は、端末装置側に応用され、図13に示すように、以下のステップを含む。
【０１４７】
ステップ1301：低レイテンシトラフィックの受信又は送信を行う時間が測定間隔と重なり合うときに、端末装置が該測定間隔内又は該測定間隔の一部の時間内で測定を行わない。
【０１４８】
本実施例では、ステップ1301において、端末装置が該測定間隔内又は該測定間隔の一部の時間内で測定を行わないから、該測定間隔を用いて低レイテンシトラフィックの受信又は送信を行うことができ、低レイテンシトラフィックのレイテンシを減少させることができる。
【０１４９】
なお、該測定間隔内で低レイテンシトラフィックの受信又は送信を行う具体的な実施方式については、実施例1〜4を参照することができ、本実施例では、重複説明が省略される。
【０１５０】
本実施例では、該方法はさらに、次のようなこと（オプション；図示せず）を含んでも良く、即ち、ネットワーク装置送信の設定情報を受信し、該設定情報は、該端末装置が低レイテンシトラフィックの受信又は送信を行う時間が測定間隔と重なり合うときに、又は、該端末装置が低レイテンシトラフィックの受信又は送信を行う時間が測定間隔と重なり合い、かつサービス品質変化に関する所定条件が満足されるときに、該端末装置が該測定間隔内又は該測定間隔の一部の時間内で測定を行わないことを設定し；又は、該設定情報は、該端末装置がグラントを有するときに、該グラントが測定を行わない測定間隔をカバーすることを設定する。
【０１５１】
或いは、ネットワーク装置送信の第一指示情報を受信し、該第一指示情報は、測定を行わない測定間隔に関する情報を指示する。
【０１５２】
本実施例では、該方法はさらに、次のようなこと（オプション；図示せず）を含んでも良く、即ち、ネットワーク装置送信の第二指示情報を受信し、該第二指示情報は、サービス品質変化に関する所定条件を指示し、該端末装置は、該所定条件が満足されるときに、該測定間隔内又は該測定間隔の一部の時間内で測定を行わない。
【０１５３】
なお、該設定情報、第一指示情報及び第二指示情報の具体的な実施方式については、実施例1〜5を参照することができ、本実施例では、その詳しい説明を省略する。
【０１５４】
上述の実施例から分かるように、該測定間隔内又は該測定間隔の一部の時間内で測定を行わないため、低レイテンシトラフィックの受信又は送信を行うことができ、これにより、低レイテンシトラフィックの受信又は送信過程において設定される測定間隔が出現するときに、低レイテンシトラフィックのレイテンシを減少させ、低レイテンシトラフィックのユーザ体験を保証することができる。
【実施例７】
【０１５５】
本発明の実施例7は、測定方法を提供し、図14は、本実施例における該測定方法のフローチャートであり、該方法は、ネットワーク装置側に応用される。
【０１５６】
図14は、本実施例における測定方法のフローチャートであり、図14に示すように、該方法は、以下のステップを含む。
【０１５７】
ステップ1401：ネットワーク装置が端末装置に設定情報を送信し、該設定情報は、該端末装置が低レイテンシトラフィックの受信又は送信を行う時間が測定間隔と重なり合うときに、該端末装置が該測定間隔内又は該測定間隔の一部の時間内で測定を行わないことを設定する。
【０１５８】
本実施例では、該設定情報は、低レイテンシトラフィックの受信又は送信を行う時間と重なった測定間隔、即ち、低レイテンシトラフィックの受信又は送信を行う時間によりカバーされる測定間隔を示し、該測定間隔内で、端末装置は、周波数間測定又はinter-RAT測定を行う必要がない。
【０１５９】
本実施例では、該方法はさらに、以下のステップを含んでも良い。
【０１６０】
ステップ1402（オプション）：該測定間隔内で該低レイテンシトラフィックの送信又は受信を行う。
【０１６１】
ステップ1402では、ネットワーク装置側において、該低レイテンシトラフィックの送信を行うことは、該低レイテンシトラフィックが下りリンク低レイテンシトラフィックであることを示し、該低レイテンシトラフィックの受信を行うことは、該低レイテンシトラフィックが上りリンク低レイテンシトラフィックであることを表す。
【０１６２】
本実施例では、ステップ1402の前に、該方法はさらに、次のようなこと（図示せず）を含んでも良く、即ち、該端末装置に第二指示情報を送信し、該第二指示情報は、サービス品質変化に関する所定条件を指示し、そのうち、端末装置は、該設定情報及び第二指示情報に基づいて、低レイテンシトラフィックの受信又は送信を行う時間が測定間隔と重なり合い、かつ第二指示情報指示の所定条件が満足されるときに、測定間隔内又は該測定間隔の一部の時間内で測定を行わないことを確定することができる。なお、該所定条件の意味については、実施例2を参照することができ、ここでは、その詳しい説明を省略する。
【０１６３】
図15は、本実施例における測定方法のフローチャートであり、図15に示すように、該方法は、以下のステップを含む。
【０１６４】
ステップ1501：ネットワーク装置が端末装置に設定情報を送信し、該設定情報は、該端末装置が低レイテンシトラフィックの受信又は送信を行う時間が測定間隔と重なり合い、かつサービス品質変化に関する所定条件が満足されるときに、該端末装置が該測定間隔内又は該測定間隔の一部の時間内で測定を行わないことを設定する。
【０１６５】
本実施例では、該方法はさらに、次のようなこと（図示せず；オプション）を含んでも良く、即ち、該端末装置に第二指示情報を送信し、該第二指示情報は、該所定条件を指示する。なお、該所定条件の意味については、実施例2を参照することができ、ここでは、その詳しい説明を省略する。
【０１６６】
本実施例では、該方法はさらに、以下のステップを含んでも良い。
【０１６７】
ステップ1502（オプション）：該測定間隔内で該低レイテンシトラフィックの送信又は受信を行う。
【０１６８】
ステップ1502では、ネットワーク装置側において、該低レイテンシトラフィックの送信を行うことは、該低レイテンシトラフィックが下りリンク低レイテンシトラフィックであることを表し、該低レイテンシトラフィックの受信を行うことは、該低レイテンシトラフィックが上りリンク低レイテンシトラフィックであることを示す。
【０１６９】
本実施例では、ステップ1502の前に、該方法はさらに、次のようなこと（オプション；図示せず）を含んでも良く、即ち、端末装置報告の測定報告を受信し、該測定報告に基づいて、該所定条件が満足されるかを確定し、該所定条件が満足されるときに、ステップ1502を行うが、本実施例は、これに限定されない。
【０１７０】
図16は、実施例における測定方法のフローチャートであり、図16に示すように、該方法は、以下のステップを含む。
【０１７１】
ステップ1601：ネットワーク装置が該端末装置に第一指示情報を送信し、該第一指示情報は、測定を行わない測定間隔に関する情報を指示する。
【０１７２】
該実施方式では、低レイテンシトラフィックの受信又は送信を行う時間が測定間隔と重なり合うときに、端末装置は、該第一指示情報に基づいて、該測定間隔内又は該測定間隔の一部の時間内で測定を行わないことを確定することができる。
【０１７３】
該実施方式では、該第一指示情報において指示される測定間隔又は該測定間隔の一部の時間内で、測定を行わない、即ち、低レイテンシトラフィックの受信又は送信を行う時間によりカバーされ、周波数間測定又はinter-RAT測定を行う必要がない。
【０１７４】
なお、該測定間隔に関する情報については、実施例2を参照することができ、該実施方式では、その詳しい説明を省略する。
【０１７５】
該実施方式では、該第一指示情報は、下りリンク制御チャネル（PDCCH）又は媒体アクセス制御（MAC）又は無線リソース制御（RRC）シグナリングによりキャリーされ得る。
【０１７６】
該実施方式では、ネットワーク装置は、カバーされる測定間隔の前に該第一指示情報を送信する必要があるが、本実施例は、該第一指示情報を送信する具体的なタイミングについて限定しない。
【０１７７】
本実施例では、該方法はさらに、以下のステップを含んでも良い。
【０１７８】
ステップ1602（オプション）：該測定間隔内で該低レイテンシトラフィックの送信又は受信を行う。
【０１７９】
ステップ1602では、ネットワーク装置側において、該低レイテンシトラフィックの送信を行うことは、該低レイテンシトラフィックが下りリンク低レイテンシトラフィックであることを示し、該低レイテンシトラフィックの受信を行うことは、該低レイテンシトラフィックが上りリンク低レイテンシトラフィックであることを示す。
【０１８０】
本実施例では、ステップ1602の前に、該方法はさらに、次のようなこと（図示せず；オプション）を含んでも良く、即ち、該端末装置に第二指示情報を送信し、該第二指示情報は、サービス品質変化に関する所定条件を指示する。そのうち、端末装置は、該第一指示情報及び第二指示情報に基づいて次のようなことを確定することができ、即ち、低レイテンシトラフィックの受信又は送信を行う時間が測定間隔と重なり合い、かつ第二指示情報指示の所定条件が満足されるときに、第一指示情報指示の測定間隔内で低レイテンシトラフィックの受信又は送信を行う。なお、該所定条件の意味については、実施例2を参照することができ、ここでは、その詳しい説明を省略する。
【０１８１】
図17は、本実施例における測定方法のフローチャートであり、図17に示すように、該方法は、以下のステップを含む。
【０１８２】
ステップ1701：ネットワーク装置が端末装置に設定情報を送信し、該設定情報は、該端末装置がグラントを有するときに、該グラントが測定を行わない測定間隔をカバーすることを設定する。
【０１８３】
該実施方式では、該グラントが測定間隔をカバーすることは、該グラントが測定間隔の全体の期間をカバーすることを示しても良く、該グラントが測定間隔の一部の時間（例えば、グラントが測定間隔と重なった一部の時間）をカバーすることを示しても良く、本実施例は、これに限定されない。
【０１８４】
該実施方式では、該ネットワーク装置が設定するグラントは、ネットワーク装置が予め、端末装置のために設定する、該端末装置が低レイテンシトラフィックの受信又は送信を行うリソースであり、ネットワーク装置が、先に、該リソースを端末装置のために設定し、端末装置は、該リソース上で低レイテンシトラフィックの受信又は送信を行うことができる。
【０１８５】
該実施方式では、該グラントが測定間隔と重なり合った（グラントとしてのリソースの時間領域位置が測定間隔と重なり合ったことを示す）ときに、該グラントは、該測定間隔をカバーする。このようにネットワーク装置の事前設定のグラントが既に該測定間隔をカバーしているから、端末装置が該グラント内で低レイテンシトラフィックの受信又は送信を行うことは、該測定間隔が、該グラントによりカバーされ、端末装置が低レイテンシトラフィックの受信又は送信を行うために用いられ、周波数間測定又はinter-RAT測定を行わないことを意味し、実際の低レイテンシトラフィックが該測定間隔内で到着しても、端末装置は、上述のように受信機を異なる周波数又は異なるセルに調整して測定を行うという問題が現れることがなく、即ち、該測定間隔内で低レイテンシトラフィックの受信又は送信を行うことができる。
【０１８６】
該実施方式では、該方法はさらに、次のようなこと（図示せず）を含んでも良く、即ち、ネットワーク装置送信の設定情報を受信し、該設定情報は、該端末装置がグラントを有するときに、該グランが該測定間隔をカバーすることを設定し、また、該設定情報はさらに、グラントの数量及び／又は測定間隔の数量情報を含んでも良く、例えば、該設定情報において、N個のグラントが測定間隔をカバーし、又は、グラントがM個の測定間隔をカバーし、又は、N個のグラントがM個の測定間隔をカバーすると設定されても良いが、本実施例は、これに限定されない。
【０１８７】
本実施例では、該方法はさらに、以下のステップを含んでも良い。
【０１８８】
ステップ1702（オプション）：該測定間隔内で該低レイテンシトラフィックの送信又は受信を行う。
【０１８９】
ステップ1702では、ネットワーク装置側において、該低レイテンシトラフィックの送信を行うことは、該低レイテンシトラフィックが下りリンク低レイテンシトラフィックであることを表し、該低レイテンシトラフィックの受信を行うことは、該低レイテンシトラフィックが上りリンク低レイテンシトラフィックであることを示す。
【０１９０】
なお、上述の各種の設定情報、第一指示情報及び第二指示情報の具体的な実施方式については、実施例5を参照することができ、本実施例では、その詳しい説明を省略する。
【０１９１】
上述の実施例から分かるように、該測定間隔内又は該測定間隔の一部の時間内で測定を行わないため、低レイテンシトラフィックの受信又は送信を行うことができ、これにより、低レイテンシトラフィックの受信又は送信過程において設定される測定間隔が出現するときに、低レイテンシトラフィックのレイテンシを減少させ、低レイテンシトラフィックのユーザ体験を保証することができる。
【実施例８】
【０１９２】
本実施例8は、トラフィック受信又は送信装置を提供し、該装置が問題を解決する原理が実施例1〜4の方法と同様であるから、その具体的な実施については、実施例1〜4の方法の実施を参照することができ、ここでは、内容が同じである重複説明を省略する。
【０１９３】
図18は、本発明の実施例8におけるトラフィック受信又は送信装置を示す図である。図18に示すように、該装置1800は、以下のものを含む。
【０１９４】
処理ユニット1801：低レイテンシトラフィックの受信又は送信を行う時間が測定間隔と重なり合うときに、該測定間隔内で該低レイテンシトラフィックの受信又は送信を行う。
【０１９５】
本実施例では、該処理ユニット1801は、該測定間隔内で該低レイテンシトラフィックを送信し、及び／又は、該低レイテンシトラフィックに関する情報を送信することができる。
【０１９６】
本実施例では、該装置はさらに、以下のものを含んでも良い。
【０１９７】
確定ユニット（図示せず；オプション）：サービス品質変化に関する所定条件が満足されるかを確定する。
【０１９８】
該確定ユニットの確定結果が「サービス品質変化に関する所定条件が満足される」のときに、該処理ユニット1801は、該測定間隔内で該低レイテンシトラフィックの受信又は送信を行う。
【０１９９】
なお、該所定条件の詳細については、実施例2を参照することができ、本実施例では、その詳しい説明を省略する。
【０２００】
本実施例では、該装置はさらに、以下のものを含んでも良い。
【０２０１】
第二受信ユニット（図示せず；オプション）：ネットワーク装置送信の第二指示情報を受信し、該第二指示情報は、該所定条件を指示する。
【０２０２】
本実施例では、低レイテンシトラフィックの受信又は送信を行う時間が測定間隔と重なり合うことは、次のようなケースを含み、即ち、該測定間隔内で測定を実行し始めた後に低レイテンシトラフィックの送信があることであり、このときに、該処理ユニット1801はさらに、サービングセルに戻り、かつ該測定間隔内で継続して低レイテンシトラフィックの送信、及び、ネットワーク装置送信の該低レイテンシトラフィックに対しての確認メッセージの受信を行うために用いられる。
【０２０３】
1つの実施方式において、該測定間隔が、設定される所定期間内に含まれ、該処理ユニット1801は、該所定期間内で該低レイテンシトラフィックの受信又は送信を行う。
【０２０４】
該実施方式では、該装置はさらに、以下のものを含んでも良い。
【０２０５】
設定ユニット（図示せず）：予め低レイテンシトラフィックを受信又は送信するときに、該所定期間を設定する。
【０２０６】
該実施方式では、該処理ユニット1801はさらに、該所定期間内で低レイテンシトラフィックの受信がないとき又は該所定期間内で該低レイテンシトラフィックの送信がないときに、該所定期間の後の測定間隔内で測定を行う。
【０２０７】
該実施方式では、該設定ユニットは、タイマーを起動することで該所定期間を設定する。
【０２０８】
1つの実施方式において、該装置はさらに、以下のものを含む。
【０２０９】
第一受信ユニット（図示せず）：ネットワーク装置送信の第一指示情報を受信し、該第一指示情報は、該低レイテンシトラフィックの受信又は送信を行う測定間隔に関する情報を指示する。
【０２１０】
該実施方式では、該第一指示情報は、下りリンク制御チャネル又は媒体アクセス制御又は無線リソース制御シグナリングによりキャリーされ得る。なお、該測定間隔に関する情報については、実施例2を参照することができ、ここでは、その詳しい説明を省略する。
【０２１１】
本実施例では、該端末装置がネットワーク装置の設定したグラントを有するときに、該グラントは、該低レイテンシトラフィックの受信又は送信を行う測定間隔をカバーする。
【０２１２】
本実施例では、該装置はさらに、以下のものを含む。
【０２１３】
第三受信ユニット（図示せず）：ネットワーク装置送信の設定情報を受信し、該設定情報は、次のようなことを設定し、即ち、該端末装置が低レイテンシトラフィックの受信又は送信を行う時間が測定間隔と重なり合うときに、又は、該端末装置が低レイテンシトラフィックの受信又は送信を行う時間が測定間隔と重なり合い、かつサービス品質変化に関する所定条件が満足されるときに、該端末装置が該測定間隔内で該低レイテンシトラフィックの受信又は送信を行う。
【０２１４】
或いは、該設定情報は、次のようなことを設定し、即ち、該端末装置が低レイテンシトラフィックについてのグラントを有するときに、該グラントが該低レイテンシトラフィックの受信又は送信を行う測定間隔をカバーする。
【０２１５】
本実施例では、該処理ユニット1801は、該測定間隔内で該低レイテンシトラフィックの受信又は送信を行うときに、測定を行わない。
【０２１６】
なお、上述の各ユニットの実施方式については、実施例1〜4を参照することができ、本実施例では、その詳しい説明を省略する。
【０２１７】
図26〜図28は、トラフィック受信又は送信装置の3種類の実施方式の構成図である。図26に示すように、該装置2600は、第三受信ユニット2601、設定ユニット2602及び処理ユニット2603を含み、また、オプションとして第二受信ユニット2604も含む。図27に示すように、該装置2700は、第一受信ユニット2701及び処理ユニット2702を含み、また、オプションとして第二受信ユニット2703も含む。図28に示すように、該装置2800は、第三受信ユニット2801及び処理ユニット2802を含み、また、オプションとして第二受信ユニット2803も含む。なお、各ユニットの具体的な実施方式については、上述のようであるから、ここでは、その詳しい説明を省略する。
【０２１８】
上述の実施例から分かるように、該測定間隔内で低レイテンシトラフィックの受信又は送信を行うことにより、低レイテンシトラフィックの受信又は送信過程において設定される測定間隔が出現するときに、低レイテンシトラフィックのレイテンシを減少させ、低レイテンシトラフィックのユーザ体験を保証することができる。
【実施例９】
【０２１９】
本実施例9はさらに、端末装置を提供し、該装置が問題を解決する原理が実施例1〜4の方法と同様であるため、その具体的な実施については、実施例1〜4の方法の実施を参照することができ、ここでは、内容が同じである重複説明を省略する。
【０２２０】
本実施例では、端末装置（図示せず）がさらに提供され、該端末装置には、前述のトラフィック受信又は送信装置1800が構成される。
【０２２１】
本実施例はさら、端末装置を提供し、図19は、本発明の実施例9における端末装置の構成を示す図である。図19に示すように、端末装置1900は、中央処理装置（CPU）1901及び記憶器1902を含んでも良い。記憶器1902は、中央処理装置1901に接続される。そのうち、該記憶器1902は、各種のデータを記憶することができ、また、データ処理用のプログラムをさらに記憶することができ、かつ中央処理装置1901の制御下で該プログラムを実行することで、トラフィックの受信又は送信を行うことができる。
【０２２２】
1つの実施方式において、装置1800の機能が中央処理装置1901に集積されても良い。そのうち、中央処理装置1901は、実施例1〜4に記載のトラフィック受信又は送信方法を実現するように構成されても良い。
【０２２３】
例えば、中央処理装置1901は、次のように構成されても良く、即ち、低レイテンシトラフィックの受信又は送信を行う時間が測定間隔と重なり合うときに、該測定間隔内で該低レイテンシトラフィックの受信又は送信を行う。
【０２２４】
1つの実施方式において、中央処理装置1901はさらに、次のように構成されても良く、即ち、該測定間隔が、設定される所定期間内に含まれ、該所定期間内で該低レイテンシトラフィックの受信又は送信を行う。
【０２２５】
1つの実施方式において、中央処理装置1901はさらに、次のように構成されても良く、即ち、予め低レイテンシトラフィックを受信又は送信するときに、該所定期間を設定する。
【０２２６】
1つの実施方式において、中央処理装置1901はさらに、次のように構成されても良く、即ち、該所定期間内で低レイテンシトラフィックの受信がないとき又は該所定期間内で該低レイテンシトラフィックの送信がないときに、該所定期間の後の測定間隔内で測定を行う。
【０２２７】
1つの実施方式において、中央処理装置1901はさらに、次のように構成されても良く、即ち、タイマーを起動することで該所定期間を設定する。
【０２２８】
1つの実施方式において、中央処理装置1901はさらに、次のように構成されても良く、即ち、該測定間隔内で該低レイテンシトラフィックを送信し、及び／又は、該低レイテンシトラフィックに関する情報を送信する。
【０２２９】
1つの実施方式において、中央処理装置1901はさらに、次のように構成されても良く、即ち、ネットワーク装置送信の第一指示情報を受信し、該第一指示情報は、該低レイテンシトラフィックの受信又は送信を行う測定間隔に関する情報を指示する。
【０２３０】
1つの実施方式において、中央処理装置1901はさらに、次のように構成されても良く、即ち、サービス品質変化に関する所定条件が満足されることを確定し、また、サービス品質変化に関する所定条件が満足されるときに、該測定間隔内で該低レイテンシトラフィックの受信又は送信を行う。
【０２３１】
1つの実施方式において、中央処理装置1901はさらに、次のように構成されても良く、即ち、ネットワーク装置送信の第二指示情報を受信し、該第二指示情報は、該所定条件を指示する。
【０２３２】
1つの実施方式において、中央処理装置1901はさらに、次のように構成されても良く、即ち、低レイテンシトラフィックの受信又は送信を行う時間が測定間隔と重なり合うことは、次のようなケースを含み、即ち、該測定間隔内で測定を実行し始めた後に低レイテンシトラフィックの送信があることであり、このときに、サービングセルに戻り、かつ該測定間隔内で継続して低レイテンシトラフィックの送信、及び、ネットワーク装置送信の該低レイテンシトラフィックに対しての確認メッセージの受信を行う。
【０２３３】
1つの実施方式において、中央処理装置1901はさらに、次のように構成されても良く、即ち、該端末装置がネットワーク装置の設定したグラントを有するときに、該グラントは、該低レイテンシトラフィックの受信又は送信を行う測定間隔をカバーする。
【０２３４】
1つの実施方式において、中央処理装置1901はさらに、次のように構成されても良く、即ち、ネットワーク装置送信の設定情報を受信し、該設定情報は、次のようなことを設定し、即ち、該端末装置が低レイテンシトラフィックの受信又は送信を行う時間が測定間隔と重なり合うときに、又は、該端末装置が低レイテンシトラフィックの受信又は送信を行う時間が測定間隔と重なり合い、かつサービス品質変化に関する所定条件が満足されるときに、該端末装置は、該測定間隔内で該低レイテンシトラフィックの受信又は送信を行いう。或いは、該設定情報配置は、次のようなことを設定し、即ち、該端末装置が低レイテンシトラフィックについてのグラントを有するときに、該グラントは、該低レイテンシトラフィックの受信又は送信を行う測定間隔をカバーする。
【０２３５】
1つの実施方式において、中央処理装置1901はさらに、次のように構成されても良く、即ち、該測定間隔内で該低レイテンシトラフィックの受信又は送信を行うときに、測定を行わない。
【０２３６】
なお、該中央処理装置1901の他の構成方式については、実施例1〜4を参照することができ、ここでは、その詳しい説明を省略する。
【０２３７】
もう1つの実施方式において、上述の装置1800は、中央処理装置1901と別々で配置されても良く、例えば、装置1800を、中央処理装置1901に接続されるチップ（chip）として構成し、図19に示すトラフィック取得ユニットのように、中央処理装置1901の制御により装置1800の機能を実現しても良い。
【０２３８】
また、図19に示すように、端末装置1900はさらに、通信モジュール1903、入力ユニット1904、音声処理器1905、表示器1906、アンテナ1907、電源1908などを含んでも良い。そのうち、これらの部品の機能が従来技術と同様であるため、ここでは、その詳しい説明を省略する。なお、端末装置1900は、図19に示す全部の部品を含む必要がない。また、端末装置1900はさらに、図19に無い部品を含んでも良く、これについては、従来技術を参照することができる。
【０２３９】
上述の実施例から分かるように、該測定間隔内で低レイテンシトラフィックの受信又は送信を行うことにより、低レイテンシトラフィックの受信又は送信過程において設定される測定間隔が出現するときに、低レイテンシトラフィックのレイテンシを減少させ、低レイテンシトラフィックのユーザ体験を保証することができる。
【実施例１０】
【０２４０】
本実施例10は、トラフィック受信又は送信装置を提供し、該装置が問題を解決する原理が実施例5の方法と同様であるため、その具体的な実施については、実施例5の方法の実施を参照することができ、ここでは、内容が同じである重複説明を省略する。
【０２４１】
図20は、本発明の実施例10におけるトラフィック受信又は送信装置を示す図である。図20に示すように、該装置2000は、以下のものを含む。
【０２４２】
第一送信ユニット2001：端末装置に設定情報を送信し、該設定情報は、次のようなことを設定し、即ち、該端末装置が低レイテンシトラフィックの受信又は送信を行う時間が測定間隔と重なり合うときに、又は、該端末装置が低レイテンシトラフィックの受信又は送信を行う時間が測定間隔と重なり合い、かつサービス品質変化に関する所定条件が満足されるときに、該端末装置は、該測定間隔内で該低レイテンシトラフィックの受信又は送信を行う。該設定情報は、又は、次のようなことを設定し、即ち、該端末装置がグラントを有するときに、該グラントは、該低レイテンシトラフィックの受信又は送信を行う測定間隔をカバーする。或いは、端末装置に第一指示情報を送信し、該第一指示情報は、低レイテンシトラフィックの受信又は送信を行う測定間隔に関する情報を指示する。
【０２４３】
本実施例では、該装置はさらに、以下のものを含んでも良い。
【０２４４】
第二送信ユニット2002（オプション）：該端末装置に第二指示情報を送信し、該第二指示情報は、該所定条件を指示する。
【０２４５】
本実施例では、該装置はさらに、以下のものを含んでも良い。
【０２４６】
送受信ユニット2003（図示せず、オプション）：該測定間隔内で該低レイテンシトラフィックの送信又は受信を行う。
【０２４７】
なお、上述の各ユニットの実施方式については、実施例5を参照することができ、本実施例では、その詳しい説明を省略する。そのうち、上述の各ユニットは、送信機又は受信機（送信アンテナ又は受信アンテナ）により受信又は送信を行うことができるが、本実施例は、これに限定されない。
【０２４８】
上述の実施例から分かるように、該測定間隔内で低レイテンシトラフィックの受信又は送信を行うことにより、低レイテンシトラフィックの受信又は送信過程において設定される測定間隔が出現するときに、低レイテンシトラフィックのレイテンシを減少させ、低レイテンシトラフィックのユーザ体験を保証することができる。
【実施例１１】
【０２４９】
本実施例11は、ネットワーク装置を提供し、該装置が問題を解決する原理が実施例5の方法と同様であるため、その具体的な実施については、実施例5の方法の実施を参照することができ、ここでは、内容が同じである重複説明を省略する。
【０２５０】
本実施例では、ネットワーク装置（図示せず）がさらに提供され、該ネットワーク装置には、前述のトラフィック受信又は送信装置2000が構成される。
【０２５１】
本実施例11はさらに、ネットワーク装置を提供し、該装置が問題を解決する原理が実施例1の方法と同様であるため、その具体的な実施については、実施例1の方法の実施を参照することができ、ここでは、内容が同じである重複説明を省略する。図21は、該ネットワーク装置の構成図である。図21に示すように、ネットワーク装置2100は、中央処理装置（CPU）2101及び記憶器2102を含んでも良く、記憶器2102は、中央処理装置2101に接続される。そのうち、該記憶器2102は、各種のデータを記憶することができ、また、データ処理用のプログラム2105をさらに記憶することができ、かつ中央処理装置2101の制御下で該プログラムを実行することでトラフィックを送信することができる。
【０２５２】
1つの実施方式において、装置2000の機能が中央処理装置2101に統合されても良い。そのうち、中央処理装置2101は、実施例5に記載のトラフィック受信又は送信方法を実現するように構成されても良い。
【０２５３】
例えば、中央処理装置2101は、次のように構成されても良く、即ち、端末装置に設定情報を送信し、該設定情報は、次のようなことを設定し、即ち、該端末装置が低レイテンシトラフィックの受信又は送信を行う時間が測定間隔と重なり合うときに、又は、該端末装置が低レイテンシトラフィックの受信又は送信を行う時間が測定間隔と重なり合い、かつサービス品質変化に関する所定条件が満足されるときに、該端末装置は、該測定間隔内で該低レイテンシトラフィックの受信又は送信を行い、又は、該設定情報は、次のようなことを設定し、即ち、該端末装置がグラントを有するときに、該グラントは、該低レイテンシトラフィックの受信又は送信を行う測定間隔をカバーし；或いは、端末装置に第一指示情報を送信し、該第一指示情報は、低レイテンシトラフィックの受信又は送信を行う測定間隔に関する情報を指示する。
【０２５４】
1つの実施方式において、中央処理装置2101はさらに、次のように構成されても良く、即ち、該端末装置に第二指示情報を送信し、該第二指示情報は、該所定条件を指示する。
【０２５５】
1つの実施方式において、中央処理装置2101はさらに、次のように構成されても良く、即ち、該測定間隔内で該低レイテンシトラフィックの送信又は受信を行う。
【０２５６】
なお、該中央処理装置2101の具体的な構成方式については、実施例5を参照することができ、ここでは、その詳しい説明を省略する。
【０２５７】
もう1つの実施方式において、上述の装置2000は、中央処理装置2101と独立して配置されても良く、例えば、装置2000を、中央処理装置2101に接続されるチップとして構成し、図21に示すユニットのように、中央処理装置2101の制御により装置2000の機能を実現しても良い。
【０２５８】
また、図21に示すように、ネットワーク装置2100はさらに、送受信機2103、アンテナ2104などを含んでも良い。そのうち、これらの部品の機能が従来技術と同様であるため、ここでは、その詳しい説明を省略する。なお、ネットワーク装置2100は、図21に示す全部の部品を含む必要がない。また、ネットワーク装置2100はさらに、図21に無い部品を含んでも良く、これについては、従来技術を参照することができる。
【０２５９】
上述の実施例から分かるように、該測定間隔内で低レイテンシトラフィックの受信又は送信を行うことにより、低レイテンシトラフィックの受信又は送信過程において設定される測定間隔が出現するときに、低レイテンシトラフィックのレイテンシを減少させ、低レイテンシトラフィックのユーザ体験を保証することができる。
【実施例１２】
【０２６０】
本実施例12は、測定装置を提供し、該装置が問題を解決する原理が実施例1〜4の方法と同様であるから、その具体的な実施については、実施例6の方法の実施を参照することができ、ここでは、内容が同じである重複説明を省略する。
【０２６１】
図22は、本発明の実施例12における測定装置を示す図である。図22に示すように、該装置2200は、以下のものを含む。
【０２６２】
処理ユニット2201：低レイテンシトラフィックの受信又は送信を行う時間が測定間隔と重なり合うときに、該測定間隔内又は該測定間隔の一部の時間内測定を行わない。
【０２６３】
なお、該処理ユニット2201の具体的な実施方式については、実施例6を参照することができ、本実施例では、その詳しい説明を省略する、
上述の実施例から分かるように、該測定間隔内又は該測定間隔の一部の時間内で測定を行わないため、低レイテンシトラフィックの受信又は送信を行うことができ、これにより、低レイテンシトラフィックの受信又は送信過程において設定される測定間隔が出現するときに、低レイテンシトラフィックのレイテンシを減少させ、低レイテンシトラフィックのユーザ体験を保証することができる。
【実施例１３】
【０２６４】
本実施例13はさらに、端末装置を提供し、該装置が問題を解決する原理が実施例6の方法と同様であるため、その具体的な実施については、実施例6の方法の実施を参照することができ、ここでは、内容が同じである重複説明を省略する。
【０２６５】
本実施例では、端末装置（図示せず）がさらに提供され、該端末装置には、前述の測定装置2200が構成される。
【０２６６】
本実施例はさらに、端末装置を提供し、図23は、本発明の実施例13における端末装置の構成を示す図である。図23に示すように、端末装置2300は、中央処理装置（CPU）2301及び記憶器2302を含んでも良く、記憶器2302は、中央処理装置2301に接続される。そのうち、該記憶器2302は、各種のデータを記憶することができ、また、データ処理用のプログラムをさらに記憶することができ、かつ中央処理装置2301の制御下で該プログラムを行うことで、測定を行うことができる。
【０２６７】
1つの実施方式において、装置2200の機能が中央処理装置2301に統合されても良い。そのうち、中央処理装置2301は、実施例6に記載の測定方法を実現するように構成されても良い。
【０２６８】
例えば、中央処理装置2301は、次のように構成されても良く、即ち、低レイテンシトラフィックの受信又は送信を行う時間が測定間隔と重なり合うときに、該測定間隔内又は該測定間隔の一部の時間内測定を行わない。
【０２６９】
なお、該中央処理装置2301の他の構成方式については、実施例6をさらに記憶することができ、ここでは、その詳しい説明を省略する。
【０２７０】
もう1つの実施方式では、上述の装置2200は、中央処理装置2301と別々で配置されても良く、例えば、装置2200を、中央処理装置2301に接続されるチップとして構成し、図23に示すトラフィック取得ユニットのように、中央処理装置2301の制御により装置2200の機能を実現しても良い。
【０２７１】
また、図23に示すように、端末装置2300はさらに、通信モジュール2303、入力ユニット2304、音声処理器2305、表示器2306、アンテナ207、電源2308などを含んでも良い。そのうち、これらの部品の機能が従来技術と同様であるから、ここでは、その詳しい説明を省略する。なお、端末装置2300は、図23に示す全ての部品を含む必要がない。また、端末装置2300はさらに、図23に無い部品を含んでも良く、これについては、従来技術を参照することができる。
【０２７２】
上述の実施例から分かるように、該測定間隔内又は該測定間隔の一部の時間内で測定を行わないため、低レイテンシトラフィックの受信又は送信を行うことができ、これにより、低レイテンシトラフィックの受信又は送信過程において設定される測定間隔が出現するときに、低レイテンシトラフィックのレイテンシを減少させ、低レイテンシトラフィックのユーザ体験を保証することができる。
【実施例１４】
【０２７３】
本実施例14は、測定装置を提供し、該装置が問題を解決する原理が実施例7の方法と同様であるから、その具体的な実施については、実施例7の方法の実施を参照することができ、ここでは、内容が同じである重複説明を省略する。
【０２７４】
図24は、本発明の実施例14における測定装置を示す図である。図24に示すように、該装置2400は、以下のものを含む。
【０２７５】
送信ユニット2401：端末装置に設定情報を送信し、該設定情報は、以下のようなことを設定し、即ち、該端末装置が低レイテンシトラフィックの受信又は送信を行う時間が測定間隔と重なり合うときに、又は、該端末装置が低レイテンシトラフィックの受信又は送信を行う時間が測定間隔と重なり合い、かつサービス品質変化に関する所定条件が満足されるときに、該端末装置は、該測定間隔内又は該測定間隔の一部の時間内測定を行わず、又は、該設定情報は、次のようなことを設定し、即ち、該端末装置がグラントを有するときに、該グラントは、該測定を行わない測定間隔をカバーし；或いは、端末装置に第一指示情報を送信し、該第一指示情報は、測定を行わない測定間隔に関する情報を指示する。
【０２７６】
なお、該送信ユニット2401の具体的な実施方式については、実施例7を参照することができ、本実施例では、その詳しい説明を省略する。
【０２７７】
上述の実施例から分かるように、該測定間隔内又は該測定間隔の一部の時間内で測定を行わないため、低レイテンシトラフィックの受信又は送信を行うことができ、これにより、低レイテンシトラフィックの受信又は送信過程において設定される測定間隔が出現するときに、低レイテンシトラフィックのレイテンシを減少させ、低レイテンシトラフィックのユーザ体験を保証することができる。
【実施例１５】
【０２７８】
本実施例15は、ネットワーク装置を提供し、該装置が問題を解決する原理が実施7の方法と同様であるから、その具体的な実施については、実施例7の方法の実施を参照することができ、ここでは、内容が同じである重複説明を省略する。
【０２７９】
本実施例では、ネットワーク装置（図示せず）がさらに提供され、該ネットワーク装置には、前述の測定装置2400が構成される。
【０２８０】
本実施例15はさらに、ネットワーク装置を提供し、該装置が問題を解決する原理が実施例7の方法と同様であるから、その具体の実施については、実施例7の方法の実施を参照することができ、ここでは、内容が同じである重複説明を省略する。図25は、該ネットワーク装置の構成図である。図25に示すように、ネットワーク装置2500は、中央処理装置（CPU）2501及び記憶器2502を含んでも良い。記憶器2502は、中央処理装置2501に接続される。そのうち、該記憶器2502は、各種のデータを記憶することができ、また、データ処理用のプログラム2505をさらに記憶することができ、かつ中央処理装置2501の制御下で該プログラムを実行することで、測定を行うことができる。
【０２８１】
1つの実施方式において、装置2400の機能が中央処理装置2501に集積されても良い。そのうち、中央処理装置2501は、実施例7に記載の測定方法を実現するように構成されても良い。
【０２８２】
例えば、中央処理装置2501は、次のように構成されても良く、即ち、端末装置に設定情報を送信し、該設定情報は、次のようなことを設定し、即ち、該端末装置が低レイテンシトラフィックの受信又は送信を行う時間が測定間隔と重なり合うときに、又は、該端末装置が低レイテンシトラフィックの受信又は送信を行う時間が測定間隔と重なり合い、かつサービス品質変化に関する所定条件が満足されるときに、該端末装置は、該測定間隔内又は該測定間隔の一部の時間内で測定を行わず、又は、該設定情報は、次のようなことを設定し、即ち、該端末装置がグラントを有するときに、該グラントは、該測定を行わない測定間隔をカバーし；或いは、端末装置に第一指示情報を送信し、該第一指示情報は、測定を行わない測定間隔に関する情報を指示する。
【０２８３】
なお、該中央処理装置2501の具体的な構成方式については、実施例7を参照することができ、ここでは、その詳しい説明を省略する。
【０２８４】
もう1つの実施方式において、上述の装置2400は、中央処理装置2501と独立して配置されても良く、例えば、装置2400を、中央処理装置2501に接続されるチップとして構成し、図25に示すユニットのように、中央処理装置2501の制御により装置2400の機能を実現しても良い。
【０２８５】
また、図25に示すように、ネットワーク装置2500はさらに、送受信機2503、アンテナ2504などを含んでも良い。そのうち、これらの部品の機能が従来技術と同様であるから、ここでは、その詳しい説明を省略する。なお、ネットワーク装置2500は、図25に示す全ての部品を含む必要がない。また、ネットワーク装置2500は、図25に無い部品を含んでも良く、これについては、従来技術を参照することができる。
【０２８６】
上述の実施例から分かるように、該測定間隔内又は該測定間隔の一部の時間内で測定を行わないため、低レイテンシトラフィックの受信又は送信を行うことができ、これにより、低レイテンシトラフィックの受信又は送信過程において設定される測定間隔が出現するときに、低レイテンシトラフィックのレイテンシを減少させ、低レイテンシトラフィックのユーザ体験を保証することができる。
【実施例１６】
【０２８７】
本実施例16は、通信システムを提供し、それは、実施例9における端末装置及び／又は実施例11におけるネットワーク装置、或いは、実施例13における端末装置及び／又は実施例15におけるネットワーク装置を含み、その内容は、ここに合併され、ここでは、その詳しい説明を省略する。
【０２８８】
上述の実施例から分かるように、該測定間隔内で低レイテンシトラフィックの受信又は送信を行うことにより、低レイテンシトラフィックの受信又は送信過程において設定される測定間隔が出現するときに、低レイテンシトラフィックのレイテンシを減少させ、低レイテンシトラフィックのユーザ体験を保証することができる。
【０２８９】
本発明の実施例はさらに、コンピュータ可読プログラムを提供し、そのうち、トラフィック受信又は送信装置又は端末装置中で前記プログラムを実行するときに、前記プログラムは、前記トラフィック受信又は送信装置又は端末装置に、実施例1〜4に記載のトラフィック受信又は送信方法を実行させる。
【０２９０】
本発明の実施例はさらに、コンピュータ可読プログラムを記憶した記憶媒体を提供し、そのうち、前記コンピュータ可読プログラムは、トラフィック受信又は送信装置又は端末装置に、実施例1〜4に記載のトラフィック受信又は送信方法を実行させる。
【０２９１】
本発明の実施例はさらに、コンピュータ可読プログラムを提供し、そのうち、トラフィック受信又は送信装置又はネットワーク装置中で前記プログラムを実行するときに、前記プログラムは、前記トラフィック受信又は送信装置又はネットワーク装置に、実施例5に記載のトラフィック受信又は送信方法を実行させる。
【０２９２】
本発明の実施例はさらに、コンピュータ可読プログラムを記憶した記憶媒体を提供し、そのうち、前記コンピュータ可読プログラムは、トラフィック受信又は送信装置又はネットワーク装置に、実施例5に記載のトラフィック受信又は送信方法を実行させる。
【０２９３】
本発明の実施例はさらに、コンピュータ可読プログラムを提供し、そのうち、測定装置又は端末装置中で前記プログラムを実行するときに、前記プログラムは、前記測定装置又は端末装置に、実施例6に記載の測定方法を実行させる。
【０２９４】
本発明の実施例はさらに、コンピュータ可読プログラムを記憶した記憶媒体を提供し、そのうち、前記コンピュータ可読プログラムは、測定装置又は端末装置に、実施例6に記載の測定方法を実行させる。
【０２９５】
本発明の実施例はさらに、コンピュータ可読プログラムを提供し、そのうち、測定装置又はネットワーク装置中で前記プログラムを実行するときに、前記プログラムは、前記測定装置又はネットワーク装置に、実施例7に記載の測定方法を実行させる。
【０２９６】
本発明の実施例はさらに、コンピュータ可読プログラムを記憶した記憶媒体を提供し、そのうち、前記コンピュータ可読プログラムは、測定装置又はネットワーク装置に、実施例7に記載の測定方法を実行させる。
【０２９７】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述の装置又は構成部品を実現させ、又は、該ロジック部品に、上述の各種の方法又はステップを実現させる。ロジック部品は、例えば、FPGA（Field  Programmable  Gate  Array）、マイクロプロセッサ、コンピュータに用いる処理器などであっても良い。本発明は、さらに、上述のプログラムを記憶した記憶媒体、例えば、ハードディスク、磁気ディスク、光ハードディスク、DVD、フラッシュメモリなどにも関する。
【０２９８】
さらに、図面に記載の機能ブロックのうちの1つ又は複数の組み合わせ及び／又は機能ブロックの1つ又は複数の組み合わせは、本明細書に記載の機能を実行するための汎用処理器、デジタル信号処理器（DSP）、特定用途向け集積回路（ASIC）、フィールドプログラマブルゲートアレイ（FPGA）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの1つ又は複数の組み合わせ及び／又は機能ブロックの1つ又は複数の組み合わせは、さらに、計算装置の組み合わせ、例えば、DSP及びマイクロプロセッサの組み合わせ、複数のマイクロプロセッサ、DSPと通信により接続される1つ又は複数のマイクロプロセッサ又は他の任意の構成の組み合わせとして構成されても良い。
【０２９９】
以上、本発明の好ましい実施形態を説明したが、本発明はこのような実施形態に限定されず、本発明の趣旨を離脱しない限り、本発明に対するあらゆる変更は本発明の技術的範囲に属する。
【０３００】
また、以上の複数の実施例などに関し、さらに、以下の付記を開示する。
【０３０１】
（付記1）
トラフィック受信又は送信方法であって、
低レイテンシトラフィックの受信又は送信を行う時間が測定間隔と重なり合うときに、端末装置が前記測定間隔内で前記低レイテンシトラフィックの受信又は送信を行うことを含む、方法。
【０３０２】
（付記2）
付記1に記載の方法であって、
前記測定間隔が設定される所定期間内に含まれ、前記端末装置は、前記所定期間内で前記低レイテンシトラフィックの受信又は送信を行う、方法。
【０３０３】
（付記3）
付記2に記載の方法であって、
予め低レイテンシトラフィックを受信又は送信するときに、前記所定期間を設定することをさらに含む、方法。
【０３０４】
（付記4）
付記2に記載の方法であって、
前記所定期間内で低レイテンシトラフィックの受信がないとき又は前記所定期間内で前記低レイテンシトラフィックの送信がないときに、前記所定期間の後の測定間隔内で測定を行うことをさらに含む、方法。
【０３０５】
（付記5）
付記2に記載の方法であって、
タイマーを起動することで前記所定期間を設定する、方法。
【０３０６】
（付記6）
付記1に記載の方法であって、
前記端末装置が前記測定間隔内で前記低レイテンシトラフィックの送信を行うことは、
前記端末装置が前記測定間隔内で前記低レイテンシトラフィックを送信し、及び／又は、前記低レイテンシトラフィックに関する情報を送信することを含む、方法。
【０３０７】
（付記7）
付記1に記載の方法であって、
ネットワーク装置送信の第一指示情報を受信することをさらに含み、
前記第一指示情報は、前記低レイテンシトラフィックの受信又は送信を行う測定間隔に関する情報を指示する、方法。
【０３０８】
（付記8）
付記7に記載の方法であって、
前記第一指示情報は、PDCCH又はMAC又はRRCシグナリングにより搬送される、方法。
【０３０９】
（付記9）
付記7に記載の方法であって、
前記測定間隔に関する情報は、前記低レイテンシトラフィックの受信又は送信を行う測定間隔の数量情報及び／又は位置情報を含む、方法。
【０３１０】
（付記10）
付記1に記載の方法であって、
前記低レイテンシトラフィックの受信又は送信を行う前に、
サービス品質変化に関する所定条件が満足されるかを確定し；及び
サービス品質変化に関する前記所定条件が満足されるときに、前記端末装置が前記測定間隔内で前記低レイテンシトラフィックの受信又は送信を行うことをさらに含む、方法。
【０３１１】
（付記11）
付記10に記載の方法であって、
前記所定条件は、サービングセルのサービス品質が第一閾値よりも高く；又は、サービングセルのサービス品質が第二閾値よりも高く、隣接するセルのサービス品質が第三閾値よりも低く；又は、隣接するセルのサービス品質が第四閾値よりも低く；又は、サービングセルのサービス品質が隣接するセルのサービス品質よりも高く；又は、サービングセルのサービス品質が隣接するセルのサービス品質の第五閾値よりも高いことを含む、方法。
【０３１２】
（付記12）
付記10に記載の方法であって、
ネットワーク装置送信の第二指示情報を受信することをさらに含み、
前記第二指示情報は、前記所定条件を指示する、方法。
【０３１３】
（付記13）
付記1に記載の方法であって、
低レイテンシトラフィックの受信又は送信を行う時間が測定間隔と重なり合うことは、前記測定間隔内で測定し始めた後に低レイテンシトラフィックの送信があることを含み、
前記方法は、
前記端末装置がサービングセルに戻り、前記測定間隔内で継続して低レイテンシトラフィックの送信、及び、ネットワーク装置送信の前記低レイテンシトラフィックに対しての確認メッセージの受信を行うことをさらに含む、方法。
【０３１４】
（付記14）
付記1に記載の方法であって、
前記端末装置がネットワーク装置設定のグラントを有するときに、前記グラントは、前記低レイテンシトラフィックの受信又は送信を行う測定間隔をカバーする、方法。
【０３１５】
（付記15）
付記1に記載の方法であって、
ネットワーク装置送信の設定情報を受信することをさらに含み、
前記設定情報は、
前記端末装置が低レイテンシトラフィックの受信又は送信を行う時間が測定間隔と重なり合うときに、又は、前記端末装置が低レイテンシトラフィックの受信又は送信を行う時間が測定間隔と重なり合い、かつサービス品質変化に関する所定条件が満足されるときに、前記端末装置が前記測定間隔内で前記低レイテンシトラフィックの受信又は送信を行うことを設定し；又は
前記端末装置が低レイテンシトラフィックについてグラントを有するときに、前記グラントが前記低レイテンシトラフィックの受信又は送信を行う測定間隔をカバーすることを設定する、方法。
【０３１６】
（付記16）
付記1に記載の方法であって、
前記端末装置は、前記測定間隔内で前記低レイテンシトラフィックの受信又は送信を行うときに、測定を行わない、方法。
【０３１７】
（付記17）
トラフィック受信又は送信方法であって、
ネットワーク装置が端末装置に設定情報又は第一指示情報を送信することを含み、
前記設定情報は、
前記端末装置が低レイテンシトラフィックの受信又は送信を行う時間が測定間隔と重なり合うときに、又は、前記端末装置が低レイテンシトラフィックの受信又は送信を行う時間が測定間隔と重なり合い、かつサービス品質変化に関する所定条件が満足されるときに、前記端末装置が前記測定間隔内で前記低レイテンシトラフィックの受信又は送信を行うことを設定し；又は
前記端末装置がグラントを有するときに、前記グラントが前記低レイテンシトラフィックの受信又は送信を行う測定間隔をカバーすることを設定し、
前記第一指示情報は、低レイテンシトラフィックの受信又は送信を行う測定間隔に関する情報を指示する、方法。
【０３１８】
（付記18）
付記17に記載の方法であって、
前記端末装置に第二指示情報を送信することをさらに含み、
前記第二指示情報は、前記所定条件を指示する、方法。
【０３１９】
（付記19）
付記17前記方法であって、
前記測定間隔内で前記低レイテンシトラフィックの送信又は受信を行うことをさらに含む、方法。
【０３２０】
（付記20）
測定方法であって、
低レイテンシトラフィックの受信又は送信を行う時間が測定間隔と重なり合うときに、端末装置が前記測定間隔内又は前記測定間隔の一部の時間内で測定を行わないことを含む、方法。
【０３２１】
（付記21）
測定方法であって、
ネットワーク装置が端末装置に設定情報又は第一指示情報を送信することを含み、
前記設定情報は、
前記端末装置が低レイテンシトラフィックの受信又は送信を行う時間が測定間隔と重なり合うときに、又は、前記端末装置が低レイテンシトラフィックの受信又は送信を行う時間が測定間隔と重なり合い、かつサービス品質変化に関する所定条件が満足されるときに、前記端末装置が前記測定間隔内又は前記測定間隔の一部の時間内で測定を行わないことを設定し；又は
前記端末装置がグラントを有するときに、前記グラントが前記測定を行わない測定間隔をカバーすることを設定し、
前記第一指示情報は、測定を行わない測定間隔に関する情報を指示する、方法。
【０３２２】
（付記22）
測定装置であって、
低レイテンシトラフィックの受信又は送信を行う時間が測定間隔と重なり合うときに、前記測定間隔内又は前記測定間隔の一部の時間内で測定を行わない処理ユニットを含む、装置。
【０３２３】
（付記23）
測定装置であって、
端末装置に設定情報又は第一指示情報を送信する送信ユニットを含み、
前記設定情報は、
前記端末装置が低レイテンシトラフィックの受信又は送信を行う時間が測定間隔と重なり合うときに、又は、前記端末装置が低レイテンシトラフィックの受信又は送信を行う時間が測定間隔と重なり合い、かつサービス品質変化に関する所定条件が満足されるときに、前記端末装置が前記測定間隔内又は前記測定間隔の一部の時間内で測定を行わないことを設定し；又は
前記端末装置がグラントを有するときに、前記グラントが前記測定を行わない測定間隔をカバーすることを設定し、
前記第一指示情報は、測定を行わない測定間隔に関する情報を指示する、装置。
【図１】
2021510028.tif 000003
【図２】
2021510028.tif 000004
【図３Ａ】
2021510028.tif 000005
【図３Ｂ】
2021510028.tif 000006
【図３Ｃ】
2021510028.tif 000007
【図３Ｄ】
2021510028.tif 000008
【図４】
2021510028.tif 000009
【図５】
2021510028.tif 000010
【図６】
2021510028.tif 000011
【図７】
2021510028.tif 000012
【図８】
2021510028.tif 000013
【図９】
2021510028.tif 000014
【図１０】
2021510028.tif 000015
【図１１】
2021510028.tif 000016
【図１２】
2021510028.tif 000017
【図１３】
2021510028.tif 000018
【図１４】
2021510028.tif 000019
【図１５】
2021510028.tif 000020
【図１６】
2021510028.tif 000021
【図１７】
2021510028.tif 000022
【図１８】
2021510028.tif 000023
【図１９】
2021510028.tif 000024
【図２０】
2021510028.tif 000025
【図２１】
2021510028.tif 000026
【図２２】
2021510028.tif 000027
【図２３】
2021510028.tif 000028
【図２４】
2021510028.tif 000029
【図２５】
2021510028.tif 000030
【図２６】
2021510028.tif 000031
【図２７】
2021510028.tif 000032
【図２８】
2021510028.tif 000033
【国際調査報告】
2021510028.tif 000034
2021510028.tif 000035
2021510028.tif 000036
2021510028.tif 000037